(57)【要約】  フラットディスプレイ装置は、互いに交差する走査電極およびアドレス電極により少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有する。このフラットディスプレイ装置の駆動方法は、前記フラットディスプレイパネルの駆動負荷量が大きくなると（Ｓ１〜Ｓ４）、前記走査電極の駆動電圧または前記アドレス電極の駆動電圧（Ｖｄ）を低下させる。【特許請求の範囲】
【請求項１】
互いに交差する走査電極およびアドレス電極により少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記走査ドライバおよび前記アドレスドライバを含む前記フラットディスプレイパネルの駆動回路の動作を制御する制御回路と、を有するフラットディスプレイ装置であって、
前記走査ドライバまたは前記アドレスドライバに対する駆動負荷量を検出する駆動負荷検出手段と、
前記検出された駆動負荷量に基づいて、前記走査電極の駆動電圧または前記アドレス電極の駆動電圧を変更する駆動電圧変更手段を有することを特徴とするフラットディスプレイ装置。
【請求項２】
請求項１に記載のフラットディスプレイ装置において、
前記駆動負荷検出手段は、前記フラットディスプレイパネルのデータ表示率に応じて前記走査ドライバまたは前記アドレスドライバに対する駆動負荷量を検出することを特徴とするフラットディスプレイ装置。
【請求項３】
請求項１に記載のフラットディスプレイ装置において、
前記走査ドライバは走査ドライバ用ＩＣとして構成され、且つ、前記アドレスドライバはアドレスドライバ用ＩＣとして構成され、
前記駆動負荷検出手段は、前記走査ドライバ用ＩＣまたは前記アドレスドライバ用ＩＣに設けられた温度センサを有し、該検出された前記走査ドライバ用ＩＣまたは前記アドレスドライバ用ＩＣの温度から前記走査ドライバまたは前記アドレスドライバに対する駆動負荷量を検出することを特徴とするフラットディスプレイ装置。
【請求項４】
請求項１に記載のフラットディスプレイ装置において、
前記アドレスドライバはアドレスドライバ用ＩＣとして構成され、
前記駆動負荷検出手段は、前記アドレスドライバ用ＩＣに設けられた電流センサを有し、該検出された前記アドレスドライバ用ＩＣの電流から前記アドレスドライバに対する駆動負荷量を検出することを特徴とするフラットディスプレイ装置。
【請求項５】
請求項１に記載のフラットディスプレイ装置において、
該フラットディスプレイ装置は、前記フラットディスプレイパネルのデータ表示率が大きくなると放電ガスの活性化エネルギーが高くなって駆動電圧が低くなる特性を有し、且つ、
前記駆動電圧変更手段は、前記検出された駆動負荷量が大きくなると、前記走査電極の駆動電圧または前記アドレス電極の駆動電圧を低下させることを特徴とするフラットディスプレイ装置。
【請求項６】
互いに交差する走査電極およびアドレス電極により少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記走査ドライバおよび前記アドレスドライバを含む前記フラットディスプレイパネルの駆動回路の動作を制御する制御回路と、を有するフラットディスプレイ装置であって、
前記フラットディスプレイパネルの温度を検出するパネル温度検出手段と、
前記検出されたフラットディスプレイパネルの温度に基づいて、前記走査電極の駆動電圧または前記アドレス電極の駆動電圧を変更する駆動電圧変更手段を有することを特徴とするフラットディスプレイ装置。
【請求項７】
請求項６に記載のフラットディスプレイ装置において、
該フラットディスプレイ装置は、前記フラットディスプレイパネルの温度が高くなると放電ガスの活性化エネルギーが高くなって駆動電圧が低くなる特性を有し、且つ、
前記駆動電圧変更手段は、前記検出されたフラットディスプレイパネルの温度が高くなると、前記走査電極の駆動電圧または前記アドレス電極の駆動電圧を低下させることを特徴とするフラットディスプレイ装置。
【請求項８】
請求項１または６に記載のフラットディスプレイ装置において、さらに、
前記走査電極の駆動電圧と前記アドレス電極の駆動電圧との合成電圧の絶対値をほぼ一定値を保つようにして該走査電極および該アドレス電極への印加電圧の割合を変更する印加電圧割合変更手段を備えることを特徴とするフラットディスプレイ装置。
【請求項９】
請求項１または６に記載のフラットディスプレイ装置において、さらに、
前記走査電極または前記アドレス電極の各駆動電圧に応じて、該走査電極または該アドレス電極の各駆動時間幅を変更する駆動時間幅変更手段を備えることを特徴とするフラットディスプレイ装置。
【請求項１０】
請求項９に記載のフラットディスプレイ装置において、さらに、
前記走査電極の駆動電圧と駆動時間幅との関係または前記アドレス電極の駆動電圧と駆動時間幅との関係を逆比例の関係で変更する電圧時間幅変更手段を備えることを特徴とするフラットディスプレイ装置。
【請求項１１】
請求項１または６に記載のフラットディスプレイ装置において、
前記走査電極の駆動波形は、該走査電極上の表示画素を選択するための走査パルスと、表示画素を維持するための維持パルスと、表示画素を選択するに当り画面を初期化するためのリセットパルスとを含み、
前記アドレス電極の駆動波形は、該アドレス電極上の表示画素を選択するためのアドレスパルスを含み、そして、前記フラットディスプレイ装置は、さらに、
前記駆動負荷量または前記パネルの温度の検出値に基づいて、前記走査パルス、前記維持パルス、前記リセットパルスまたは前記アドレスパルスのいずれかの駆動電圧を変更するパルス電圧変更手段を備えることを特徴とするフラットディスプレイ装置。
【請求項１２】
請求項１〜１１のいずれか１項に記載のフラットディスプレイ装置において、前記フラットディスプレイパネルは、プラズマディスプレイパネルであることを特徴とするフラットディスプレイ装置。
【請求項１３】
互いに交差する走査電極およびアドレス電極と、該走査電極に平行に配置された維持電極を構成する共通電極とにより少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記共通電極に接続され該共通電極に対する駆動電圧波形を供給する共通電極ドライバと、
前記走査ドライバ、前記アドレスドライバおよび前記共通電極ドライバを含む前記フラットディスプレイパネルの駆動回路の動作を制御する制御回路と、を有するフラットディスプレイ装置であって、
前記走査ドライバ、前記アドレスドライバまたは前記共通電極ドライバに対する駆動負荷量を検出する駆動負荷検出手段と、
前記検出された駆動負荷量に基づいて、前記走査電極の駆動電圧、前記アドレス電極の駆動電圧または前記共通電極ドライバの駆動電圧を変更する駆動電圧変更手段を有することを特徴とするフラットディスプレイ装置。
【請求項１４】
請求項１３に記載のフラットディスプレイ装置において、
前記駆動負荷検出手段は、前記フラットディスプレイパネルのデータ表示率に応じて前記走査ドライバ、前記アドレスドライバまたは前記共通電極ドライバに対する駆動負荷量を検出することを特徴とするフラットディスプレイ装置。
【請求項１５】
請求項１３に記載のフラットディスプレイ装置において、
前記走査ドライバは走査ドライバ用ＩＣとして構成され、前記アドレスドライバはアドレスドライバ用ＩＣとして構成され、且つ、前記共通電極ドライバは共通電極ドライバ用ＩＣとして構成され、
前記駆動負荷検出手段は、前記走査ドライバ用ＩＣ、前記アドレスドライバ用ＩＣまたは前記共通電極ドライバ用ＩＣに設けられた温度センサを有し、該温度センサで検出された前記走査ドライバ用ＩＣ、前記アドレスドライバ用ＩＣまたは前記共通電極ドライバ用ＩＣの温度から前記走査ドライバ、前記アドレスドライバまたは前記共通電極ドライバに対する駆動負荷量を検出することを特徴とするフラットディスプレイ装置。
【請求項１６】
請求項１３に記載のフラットディスプレイ装置において、
前記走査ドライバは該走査ドライバを介して前記走査電極を駆動するＸ共通ドライバを備え、前記共通ドライバは前記共通電極を駆動するＹ共通ドライバを備え、該Ｘ共通ドライバおよび該Ｙ共通ドライバにより維持放電を行うことを特徴とするフラットディスプレイ装置。
【請求項１７】
請求項１６に記載のフラットディスプレイ装置において、
前記走査ドライバは走査ドライバ用ＩＣとして構成され、前記アドレスドライバはアドレスドライバ用ＩＣとして構成され、且つ、前記共通電極ドライバは共通電極ドライバ用ＩＣとして構成され、
前記駆動負荷検出手段は、前記走査ドライバ用ＩＣ、前記アドレスドライバ用ＩＣまたは前記共通電極ドライバ用ＩＣに設けられた電流センサを有し、該電流センサで検出された前記走査ドライバ用ＩＣ、前記アドレスドライバ用ＩＣまたは前記共通電極ドライバ用ＩＣの電流から前記走査ドライバ、前記アドレスドライバまたは前記共通電極ドライバに対する駆動負荷量を検出することを特徴とするフラットディスプレイ装置。
【請求項１８】
請求項１３に記載のフラットディスプレイ装置において、
該フラットディスプレイ装置は、前記フラットディスプレイパネルのデータ表示率が大きくなると放電ガスの活性化エネルギーが高くなって駆動電圧が低くなる特性を有し、且つ、
前記駆動電圧変更手段は、前記検出された駆動負荷量が大きくなると、前記走査電極の駆動電圧、前記アドレス電極の駆動電圧または前記共通電極ドライバの駆動電圧を低下させることを特徴とするフラットディスプレイ装置。
【請求項１９】
互いに交差する走査電極およびアドレス電極と、該走査電極に平行に配置された維持電極を構成する共通電極とにより少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記共通電極に接続され該共通電極に対する駆動電圧波形を供給する共通電極ドライバと、
前記走査ドライバ、前記アドレスドライバおよび前記共通電極ドライバを含む前記フラットディスプレイパネルの駆動回路の動作を制御する制御回路と、を有するフラットディスプレイ装置であって、
前記フラットディスプレイパネルの温度を検出するパネル温度検出手段と、
前記検出されたフラットディスプレイパネルの温度に基づいて、前記走査電極の駆動電圧、前記アドレス電極の駆動電圧または前記共通電極ドライバの駆動電圧を変更する駆動電圧変更手段を有することを特徴とするフラットディスプレイ装置。
【請求項２０】
請求項１９に記載のフラットディスプレイ装置において、
該フラットディスプレイ装置は、前記フラットディスプレイパネルの温度が高くなると放電ガスの活性化エネルギーが高くなって駆動電圧が低くなる特性を有し、且つ、
前記駆動電圧変更手段は、前記検出されたフラットディスプレイパネルの温度が高くなると、前記走査電極の駆動電圧、前記アドレス電極の駆動電圧または前記共通電極ドライバの駆動電圧を低下させることを特徴とするフラットディスプレイ装置。
【請求項２１】
請求項１３または１９に記載のフラットディスプレイ装置において、さらに、
前記走査電極、前記アドレス電極および前記共通電極の内、２つの電極の組み合わせに印加する駆動電圧の合成電圧の絶対値をほぼ一定値を保つようにして該２つの電極の組み合わせへの印加電圧の割合を変更する印加電圧割合変更手段を備えることを特徴とするフラットディスプレイ装置。
【請求項２２】
請求項１３または１９に記載のフラットディスプレイ装置において、さらに、
前記走査電極、前記アドレス電極または前記共通電極の各駆動電圧に応じて、該走査電極、該アドレス電極または該共通電極の各駆動時間幅を変更する駆動時間幅変更手段を備えることを特徴とするフラットディスプレイ装置。
【請求項２３】
請求項２２に記載のフラットディスプレイ装置において、さらに、
前記走査電極の駆動電圧と駆動時間幅との関係、前記アドレス電極の駆動電圧と駆動時間幅との関係、または、前記共通電極の駆動電圧と駆動時間幅との関係を逆比例の関係で変更する電圧時間幅変更手段を備えることを特徴とするフラットディスプレイ装置。
【請求項２４】
請求項１３または１９に記載のフラットディスプレイ装置において、
前記走査電極の駆動波形は、該走査電極上の表示画素を選択するための走査パルスと、表示画素を維持するための走査電極側維持パルスと、表示画素を選択するに当り画面を初期化するための走査電極側リセットパルスとを含み、
前記アドレス電極の駆動波形は、該アドレス電極上の表示画素を選択するためのアドレスパルスを含み、そして、前記フラットディスプレイ装置は、さらに、
前記駆動負荷量または前記パネルの温度の検出値に基づいて、前記走査パルス、走査電極側維持パルス、走査電極側リセットパルス、アドレスパルス、共通電極側維持パルス、または、共通電極側リセットパルスのいずれかの駆動電圧を変更するパルス電圧変更手段を備えるることを特徴とするフラットディスプレイ装置。
【請求項２５】
請求項１３〜２４のいずれか１項に記載のフラットディスプレイ装置において、前記フラットディスプレイパネルは、３電極面放電交流駆動型プラズマディスプレイ装置であることを特徴とするフラットディスプレイ装置。
【請求項２６】
互いに交差する走査電極およびアドレス電極により少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、
前記フラットディスプレイパネルの駆動負荷量が大きくなると、前記走査電極の駆動電圧または前記アドレス電極の駆動電圧を低下させるようにしたことを特徴とするフラットディスプレイ装置の駆動方法。
【請求項２７】
請求項２３に記載のフラットディスプレイ装置の駆動方法において、
前記フラットディスプレイパネルの駆動負荷量を、該フラットディスプレイパネルのデータ表示率により、若しくは、前記走査電極または前記アドレス電極を駆動するためのＩＣの温度、或いは、前記走査電極または前記アドレス電極を駆動するためのＩＣの電流を測定して求めるようにしたことを特徴とするフラットディスプレイ装置の駆動方法。
【請求項２８】
互いに交差する走査電極およびアドレス電極により少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、
前記フラットディスプレイパネルの温度が高くなると、前記走査電極の駆動電圧または前記アドレス電極の駆動電圧を低下させるようにしたことを特徴とするフラットディスプレイ装置の駆動方法。
【請求項２９】
請求項２６または２８に記載のフラットディスプレイ装置の駆動方法において、
前記走査電極の駆動電圧と前記アドレス電極の駆動電圧との合成電圧の絶対値をほぼ一定値を保つようにして該走査電極および該アドレス電極への印加電圧の割合を変更するようにしたことを特徴とするフラットディスプレイ装置の駆動方法。
【請求項３０】
請求項２６または２８に記載のフラットディスプレイ装置の駆動方法において、
前記走査電極の駆動電圧と駆動時間幅との関係または前記アドレス電極の駆動電圧と駆動時間幅との関係を逆比例の関係で変更するようにしたことを特徴とするフラットディスプレイ装置の駆動方法。
【請求項３１】
請求項２６または２８に記載のフラットディスプレイ装置の駆動方法において、
前記走査電極の駆動波形は、該走査電極上の表示画素を選択するための走査パルスと、表示画素を維持するための維持パルスと、表示画素を選択するに当り画面を初期化するためのリセットパルスとを含み、
前記アドレス電極の駆動波形は、該アドレス電極上の表示画素を選択するためのアドレスパルスを含み、
前記駆動負荷量または前記パネルの温度の検出値に基づいて、前記走査パルス、前記維持パルス、前記リセットパルスまたは前記アドレスパルスのいずれかの駆動電圧を変更するようにしたことを特徴とするフラットディスプレイ装置の駆動方法。
【請求項３２】
請求項２６〜３１のいずれか１項に記載のフラットディスプレイ装置の駆動方法において、前記フラットディスプレイパネルは、プラズマディスプレイパネルであることを特徴とするフラットディスプレイ装置の駆動方法。
【請求項３３】
互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、
前記フラットディスプレイパネルの駆動負荷量が大きくなると、前記走査電極の駆動電圧、前記アドレス電極の駆動電圧または前記共通電極の駆動電圧を低下させるようにしたことを特徴とするフラットディスプレイ装置の駆動方法。
【請求項３４】
請求項３３に記載のフラットディスプレイ装置の駆動方法において、
前記フラットディスプレイパネルの駆動負荷量を、該フラットディスプレイパネルのデータ表示率により、若しくは、前記走査電極，前記アドレス電極または前記共通電極を駆動するためのＩＣの温度、或いは、該走査電極，該アドレス電極または該共通電極を駆動するためのＩＣの電流を測定して求めるようにしたことを特徴とするフラットディスプレイ装置の駆動方法。
【請求項３５】
互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、
前記フラットディスプレイパネルの温度が高くなると、前記走査電極の駆動電圧、前記アドレス電極の駆動電圧または前記共通電極の駆動電圧を低下させるようにしたことを特徴とするフラットディスプレイ装置の駆動方法。
【請求項３６】
請求項３３または３５に記載のフラットディスプレイ装置の駆動方法において、
前記走査電極、前記アドレス電極および前記共通電極の内、２つの電極の組み合わせに印加する駆動電圧の合成電圧の絶対値をほぼ一定値を保つようにして該２つの電極の組み合わせへの印加電圧の割合を変更する印加電圧割合変更手段を備えることを特徴とするフラットディスプレイ装置の駆動方法。
【請求項３７】
請求項３３または３５に記載のフラットディスプレイ装置の駆動方法において、
前記走査電極の駆動電圧と駆動時間幅との関係、前記アドレス電極の駆動電圧と駆動時間幅との関係、または、前記共通電極の駆動電圧と駆動時間幅との関係を逆比例の関係で変更するようにしたことを特徴とするフラットディスプレイ装置の駆動方法。
【請求項３８】
請求項３３または３５に記載のフラットディスプレイ装置の駆動方法において、
前記走査電極の駆動波形は、該走査電極上の表示画素を選択するための走査パルスと、表示画素を維持するための走査電極側維持パルスと、表示画素を選択するに当り画面を初期化するための走査電極側リセットパルスとを含み、
前記アドレス電極の駆動波形は、該アドレス電極上の表示画素を選択するためのアドレスパルスを含み、
前記駆動負荷量または前記パネルの温度の検出値に基づいて、前記走査パルス、走査電極側維持パルス、走査電極側リセットパルス、アドレスパルス、共通電極側維持パルス、または、共通電極側リセットパルスのいずれかの駆動電圧を変更するようにしたことを特徴とするフラットディスプレイ装置の駆動方法。
【請求項３９】
請求項３３〜３８のいずれか１項に記載のフラットディスプレイ装置の駆動方法において、前記フラットディスプレイパネルは、３電極面放電交流駆動型プラズマディスプレイ装置であることを特徴とするフラットディスプレイ装置の駆動方法。
【発明の詳細な説明】
【技術分野】
【０００１】
本発明は、フラットディスプレイ装置およびその駆動方法に関し、特に、プラズマディスプレイパネル（ＰＤＰ：Plasma Display Panel）等の自発光型で大画面化が可能であり、比較的消費電力の大きいフラットディスプレイ装置およびその駆動方法に関する。
【背景技術】
【０００２】
近年、フラットパネルディスプレイは、従来のブラウン管（ＣＲＴ）を用いた表示装置に置き換わり、小型から大型まで広い範囲の表示装置として実用化が進められつつある。小型の表示装置としては液晶表示装置（ＬＣＤ）や有機エレクトロルミネッセンス（ＥＬ）が、大型の表示装置としてはプラズマディスプレイ装置が、それぞれの適性を生かしながら適用が進められている。そして、今後、より広範囲な普及を促すためには、表示装置自身の低価格化や表示特性のさらなる向上、並びに、その他機能および性能面での一段の向上が望まれている。さらに、現在、環境負荷への影響を低減する要求が益々強くなりつつあり、今後の一般家庭への広範囲な普及のためには、表示装置の低電力化等を図ることが強く求められつつある。【０００３】
すなわち、従来、例えば、平面型の画像表示装置として面放電を行うプラズマディスプレイ装置が実用化され、画面上の全画素を表示画像データに応じて同時に発光させるようになっている。面放電を行うプラズマディスプレイ装置は、前面ガラス基板の内面に一対の電極が形成され、内部に希ガスが封入された構造になっている。電極間に電圧を印加すると、電極面上に形成された誘電体層および保護層の表面で面放電が起こり、紫外線が発生する。背面ガラス基板の内面には、３原色である赤色（Ｒ）、緑色（Ｇ）および青色（Ｂ）の蛍光体が塗布されており、紫外線によりこれらの蛍光体を励起発光させることによってカラー表示を行うようになっている。【０００４】
図１は従来のフラットディスプレイ装置の一例としての３電極面放電交流駆動型プラズマディスプレイ装置を示すブロック図である。【０００５】
図１に示されるように、プラズマディスプレイ装置１００は、ＰＤＰ（プラズマディスプレイパネル）１と、該ＰＤＰ１の各表示セルを駆動するためのアドレスドライバ３，走査ドライバ４，Ｘ共通ドライバ５およびＹ共通ドライバ６と、これら各ドライバ３〜６を制御する制御回路２とを備えている。【０００６】
制御回路２は、アドレスドライバ３を制御する表示データ制御部２１、並びに、走査ドライバ４，Ｘ共通ドライバ５およびＹ共通ドライバ６を制御するパネル駆動制御部２２を備え、ＴＶチューナやコンピュータ等の外部装置からＲ，Ｇ，Ｂの３色の輝度レベルを示す表示画像データＤＡＴＡおよび各種の同期信号（ドットクロックＣＬＫ，水平同期信号Ｈsync，垂直同期信号Ｖsync）を受け取って、アドレスドライバ３，走査ドライバ４，Ｘ共通ドライバ５およびＹ共通ドライバ６に適した制御信号を出力して所定の画像表示を行うようになっている。ここで、表示データ制御部２１は、入力された表示画像データＤＡＴＡを一時的に記憶するフレームメモリ２１を備え、また、パネル駆動制御部２２は、走査ドライバ４を制御する走査ドライバ制御部２２１、並びに、Ｘ共通ドライバ５およびＹ共通ドライバを制御する共通ドライバ制御部２２２を備えている。【０００７】
アドレスドライバ３は各アドレス電極Ａ1〜Ａm（１６）に対する表示画像データＤＡＴＡに対応したアドレスパルス（アドレス放電電圧）を発生するためのアドレスドライバ用ＩＣとして構成され、Ｘ共通ドライバ５はＸ電極Ｘ1〜Ｘn（１２）に対する維持パルス（維持放電電圧）を発生するためのＸ共通ドライバ用回路として構成され、Ｙ共通ドライバ６は走査ドライバ４を介してＹ電極Ｙ1〜Ｙn（１３）に対する維持パルスを発生するＹ共通ドライバ用回路として構成され、そして、走査ドライバ４は各Ｙ電極Ｙ1〜Ｙnを独立して駆動し走査するための走査ドライバ用ＩＣとして構成されている。【０００８】
ここで、最近では、走査ドライバ用ＩＣ自身に維持パルスを発生させる機能をも持たせてＹ共通ドライバ６の維持パルス発生回路を減らして小型化を図ったものの開発も進められつつある。なお、アドレスドライバ３，走査ドライバ４，Ｘ共通ドライバ５およびＹ共通ドライバ６により発生され、各電極に印加される所定の電圧レベルを有する駆動波形は、後に、図５を参照して説明する。【０００９】
図２は図１に示すプラズマディスプレイ装置におけるパネル（ＰＤＰ：３電極面放電交流駆動型プラズマディスプレイパネル）の一例を示す平面図であり、図３は図１に示すプラズマディスプレイ装置におけるパネルの一例を示す断面図（水平方向）である。【００１０】
図２および図３において、参照符号１はＰＤＰ、１１は前面ガラス基板、１２はＸ電極（Ｘ1〜Ｘn）、１３はＹ電極（Ｙ1〜Ｙn）、１４および１７は誘電体層、１５は背面ガラス基板、１６はアドレス電極（Ａ1〜Ａm）、１８は蛍光体、そして、１９は隔壁を示している。なお、実際のＰＤＰ１は、例えば、Ｘ電極１２および１３がそれぞれ透明電極およびバス電極により構成され、また、誘電体層１４および１７の外側に保護膜が設けられる等の構成とされている。【００１１】
そして、Ｘ電極１２およびＹ電極１３が設けられた前面ガラス基板１１と、該Ｘ電極１２およびＹ電極１３に対して垂直にアドレス電極１６が設けられた背面ガラス基板１５との間には、ネオンとキセノンの混合ガスなどの放電ガスが充填され、Ｘ電極およびＹ電極とアドレス電極との交差部の放電空間により１つの放電セルが構成されることになる。【００１２】
ここで、ＰＤＰ１のアドレス電極構造は、対向電極間（アドレス電極１６とＸ電極１２との間、或いは、アドレス電極１６とＹ電極１３との間）には発光放電用のガス空間が介在するため比較的小さい静電容量（寄生容量）Ｃｇが存在するのに対して、隣接電極間（例えば、隣接するアドレス電極の間）には絶縁層が満ちているため、比較的大きい静電容量（寄生容量）Ｃａが存在する。そして、プラズマディスプレイ装置の消費電力は、この隣接電極間の容量Ｃａを走査動作の切り替わり毎に充放電するような動作の頻度が高いほど大きくなり、全ての走査動作毎に充放電する場合において最大の消費電力が発生する。【００１３】
具体的に、このような最大の消費電力が発生する表示絵柄としては、アドレス電極の隣接間で走査動作毎に点灯と消灯を逆転させるような表示パターンであり、走査動作をプログレッシブに行う場合には、ドットの千鳥配列の表示パターンである。この時の消費電力値は、概略、通常の平均的な表示絵柄に対して２〜３倍の大きさになる。【００１４】
図４は図１に示すプラズマディスプレイ装置の階調シーケンスの一例を示す図である。
図４に示されるように、プラズマディスプレイ装置における階調駆動シーケンスは、１フレーム（１フィールド）をそれぞれ所定の輝度の重みを有する複数のサブフレーム（サブフィールド）ＳＦ１〜ＳＦｎで構成し、各サブフレームの組み合わせにより所望の階調表示を行うようになっている。具体的に、複数のサブフレームとしては、例えば、２の巾乗の輝度重みを有する８つのサブフレームＳＦ１〜ＳＦ８（維持放電の回数の比が１：２：４：８：１６：３２：６４：１２８）により２５６階調の表示を行うようになっている。なお、実際のプラズマディスプレイ装置の階調シーケンスにおいては、輝度重みを２の巾乗とせずに、各サブフレームＳＦ１〜ＳＦ８の輝度の重みを必要に応じて設定したり、或いは、同じ重みのサブフレームを複数設ける等の様々な変更が行われている。【００１５】
図５は図１に示すプラズマディスプレイ装置の駆動波形の一例を示す図であり、画像表示を行うための各電極に対する基本的な駆動波形を概略的に示すものである。【００１６】
図５および図４に示されるように、従来のプラズマディスプレイ装置における１サブフレーム（ＳＦ）の駆動波形は、リセット期間ＴＲ、アドレス期間ＴＡおよびサステイン期間ＴＳで構成され、リセット期間ＴＲにおいて各表示画素の初期化を行い、次のアドレス期間ＴＡにおいて表示する画素を選択し、最後のサステイン期間ＴＳにおいて選択された画素を発光させることで、所定の明るさでの表示を行っている。【００１７】
アドレス期間においては、走査電極であるＹ電極（Ｙ1〜Ｙn：１３）に対し、順次，−Ｖｙレベルの走査パルスを切り替え印加するが、それぞれのＹ電極への走査パルスの印加に同期させて、各アドレス電極（Ａ1〜Ａm：１３）に対し、Ｖａレベルのアドレスパルスを印加することにより、各走査ライン上の画素選択を行う。【００１８】
さらに、サステイン期間ＴＳにおいては、全ての走査電極（Ｙ1〜Ｙn：１３）と共通Ｘ電極（Ｘ1〜Ｘn：１２）に対し、共通のＶｓｙおよびＶｓｘレベルの維持パルス（維持放電電圧）を交互に印加することにより、先の選択された画素に対して発光を生じさせ、この連続印加により所定輝度での表示を行っている。さらに、このような一連の駆動波形の基本動作を組み合わせて発光回数を制御することにより、濃淡の階調表示を行っている。【００１９】
上述したように、プラズマディスプレイ装置のアドレス電極駆動部に対する消費電力は、隣接電極間の容量Ｃａを走査動作の切り替わり毎に充放電するような動作の頻度が高いほど大きくなるが、従来、アドレスドライバの消費電力を削減するために、第１のアドレス電極のアドレスパルス信号の立ち上がりと該第１のアドレス電極に隣接する第２のアドレス電極のアドレスパルス信号の立ち下がりとが所定の時間差を有するようにしたプラズマディスプレイ装置が提案されている（例えば、特許文献１参照）。【００２０】
また、従来、スキャン駆動の方式として、スキャン電極側に常時電子を蓄積しておくプラズマディスプレイパネル（ＰＤＰ）において、ＰＤＰの温度上昇に伴ってスキャン電極側に蓄積された電子が放出し易くなるのを防止してＰＤＰの表示特性を補償するために、バイアス電圧を高くするようにしたプラズマディスプレイ装置が提案されている（例えば、特許文献２参照）。【００２１】
さらに、従来、ＰＤＰに駆動電力を供給するＰＤＰ駆動回路および駆動電力を制御する制御部を備え、ＰＤＰ駆動回路が制御部における電圧調節回路で生成された電力補正値に基づいて駆動電力を出力するＰＤＰ表示装置も提案されている（例えば、特許文献３参照）。また、従来、パネル温度が上昇した場合や長時間パネルを点灯した場合に、走査パルス印加時を除く書き込み期間中にスキャン側電極に印加される電圧を増加させ、不要な放電が生じて著しく表示点灯状態が劣化するのを防止するようにしたプラズマディスプレイ装置も提案されている（例えば、特許文献４参照）。【００２２】
【特許文献１】特開平１０−１２３９９８号公報
【特許文献２】特開平０９−００６２８３号公報
【特許文献３】特開２００３−０１５５９３号公報
【特許文献４】特開２００３−１２２２９６号公報
【発明の開示】
【発明が解決しようとする課題】
【００２３】
前述したような自発光型の表示装置であるプラズマディスプレイ装置は、パネル全面のセル数に対する発光点灯している表示セルの割合（表示率）が増える程、ガス放電電流の増加に伴う消費電力が増える特性を有しており、そこで、表示率の増加に従って維持電圧波形の周波数を下げる等の工夫により消費電力の増加を抑えるようにしている。【００２４】
しかしながら、維持電圧波形の周波数を下げることは、表示の明るさを低下させることに繋がるため、表示品質確保の観点からは一定の限界がある。すなわち、維持電圧波形の周波数は、ある所定の周波数以下にすることができず、その結果、ある一定の消費電力値を許容する設計が必要になっている。【００２５】
このような電力消費が発生する駆動回路（ドライバ）は、走査電極側は走査ドライバ用ＩＣ部（走査ドライバ４）、また、共通電極側は個別の駆動回路部品部（Ｘ共通ドライバ５およびＹ共通ドライバ６）であるため、これらに対して所定の電力消費を許容する放熱性能を持たせる熱設計が必要になる。【００２６】
ここで、走査ドライバ用ＩＣ部と駆動回路部品部の両者に対する放熱設計を比較すると、駆動回路部品部は、例えば、ＦＥＴ等の個別素子で構成されており素子構造が簡単で接続端子数が少ないため比較的簡単に低価格で良好な放熱設計を施すことが可能であるのに対して、走査ドライバ用ＩＣ部は、例えば、多端子を有する複数のＩＣがフレキシブル基板に接続された構造であるため、各ＩＣに対してバラツキの少ない均一な放熱構造を施すことは複雑な構造設計が必要になるため、高価格になる。そこで、この走査ドライバ用ＩＣ部に対しては、可能な限り簡易な放熱構造で済ますことが望まれている。なお、Ｘ共通ドライバ５、Ｙ共通ドライバ６およびアドレスドライバ３として使用するＩＣにおいても、簡単な放熱設計で十分であれば、それに越したことはないのはいうまでもない。【００２７】
また、従来、アドレスパルスの印加タイミングの制御によりアドレス駆動の電力を低減することができても、例えば、千鳥配列の表示パターンにおいてピーク電力が発生する特性は依然改善されないままである。さらに、アドレス電極側の駆動電流または素子温度をモニターしておきこれらが増加した場合、サブフレーム数を減らすことにより等価的にアドレス周波数を下げてピーク電力を抑える工夫も行われているが、サブフレーム数を減らすと階調表現が劣化するため表示品質確保の観点からはあまり好ましい対策とは言えない。【００２８】
図６は従来のプラズマディスプレイ装置におけるパネル温度および表示率と駆動電圧との関係を示す図である。【００２９】
まず、図６に示されるように、プラズマディスプレイ装置の駆動パルス（アドレスパルス、走査パルス、共通電極側維持パルスおよびリセットパルス等）の電圧（駆動電圧）には、最大駆動電圧（Ｖｄｍａｘ）および最小駆動電圧（Ｖｄｍｉｎ）があり、各電極に与える駆動パルスは、上記最大駆動電圧と最小駆動電圧との間の電圧に設定する必要がある。【００３０】
ところで、本発明者達は、図１〜図５に示すような従来のプラズマディスプレイ装置において、パネル温度および表示率と駆動電圧（最大駆動電圧および最小駆動電圧）との間に法則性があることを知見した。すなわち、図１〜図５に示すような従来のプラズマディスプレイ装置においては、パネル温度が高くなると、パネル温度が低い場合よりも駆動電圧を低下させることができ、また、表示率が高くなると、表示率が低い場合よりも駆動電圧を低下させることができることを確認した。【００３１】
すなわち、パネル温度が低く且つ表示率も低い状態Ｓ１、パネル温度が高く且つ表示率も低い状態Ｓ２、パネル温度が低く且つ表示率が高い状態Ｓ３およびパネル温度が高く且つ表示率も高い状態Ｓ４の間には、図６に示されるようなパネル温度が高くなると低い駆動電圧で駆動する（放電させる）ことができ、また、表示率が高くなると低い駆動電圧で駆動する（放電させる）ことができることを確認した。これは、パネル温度が高くなると、放電により生じるパネルの各セル中の空間電荷が増大するために低い電圧の駆動パルスで放電が生じるためであると考えられ、また、表示率が高くなると、パネルにおいて同時に放電するセルの割合が多くなってセル全体に供給される空間電荷が増大し、低い電圧の駆動パルスで放電が生じるためであると考えられている。【００３２】
なお、図６において、実際のパネル温度（パネル温度の『低』と『高』の温度の違い）および表示率（表示率の『低』と『高』の割合の違い）によっては状態Ｓ２およびＳ３が逆転することがあるのはいうまでもない。また、図６中で示したパネル温度は、例えば、本発明に係るフラットディスプレイ装置の説明として後述するように、パネル背面の金属板に温度センサを取り付けて測定することができ、また、表示率は、表示画像データ（ＤＡＴＡ）から直接求めるか、或いは、各ドライバに設けた電流センサや温度センサ等で測定した値から求めることができる。【００３３】
そして、図６に示されるように、従来のプラズマディスプレイ装置（フラットディスプレイ装置）において、駆動パルス（アドレスパルス、走査パルス、共通電極側維持パルスおよびリセットパルス等）の駆動電圧は、前述した状態Ｓ１〜Ｓ４の全てを満たす電圧マージン内の固定の電圧として設定されていた。すなわち、従来のプラズマディスプレイ装置においては、パネル温度や表示率に関わらず駆動パルスは一定の電圧とされており、ドライバ用ＩＣの消費電流を十分に低減して熱対策の簡略化を図ったものとはいえかった。【００３４】
本発明は、上述した従来のフラットディスプレイパネルが有する課題に鑑み、駆動の低消費電力化並びにこれに対応した回路部品の小型化および低価格化を可能とするフラットディスプレイ装置およびその駆動方法の提供を目的とする。
【課題を解決するための手段】
【００３５】
本発明の第１の形態によれば、互いに交差する走査電極およびアドレス電極により少なくとも表示電極の一部が構成されたフラットディスプレイパネルと、前記走査電極に接続され該走査電極に対する駆動電圧波形を供給する走査ドライバと、前記アドレス電極に接続され該アドレス電極に対する駆動電圧波形を供給するアドレスドライバと、前記走査ドライバおよび前記アドレスドライバを含む前記フラットディスプレイパネルの駆動回路の動作を制御する制御回路と、を有するフラットディスプレイ装置であって、前記走査ドライバまたは前記アドレスドライバに対する駆動負荷量を検出する駆動負荷検出手段と、前記検出された駆動負荷量に基づいて、前記走査電極の駆動電圧または前記アドレス電極の駆動電圧を変更する駆動電圧変更手段を有することを特徴とするフラットディスプレイ装置が提供される。【００３６】
本発明の第２の形態によれば、互いに交差する走査電極およびアドレス電極により少なくとも表示電極の一部が構成されたフラットディスプレイパネルと、前記走査電極に接続され該走査電極に対する駆動電圧波形を供給する走査ドライバと、前記アドレス電極に接続され該アドレス電極に対する駆動電圧波形を供給するアドレスドライバと、前記走査ドライバおよび前記アドレスドライバを含む前記フラットディスプレイパネルの駆動回路の動作を制御する制御回路と、を有するフラットディスプレイ装置であって、前記フラットディスプレイパネルの温度を検出するパネル温度検出手段と、前記検出されたフラットディスプレイパネルの温度に基づいて、前記走査電極の駆動電圧または前記アドレス電極の駆動電圧を変更する駆動電圧変更手段を有することを特徴とするフラットディスプレイ装置が提供される。【００３７】
本発明の第３の形態によれば、互いに交差する走査電極およびアドレス電極と、該走査電極に平行に配置された維持電極を構成する共通電極とにより少なくとも表示電極の一部が構成されたフラットディスプレイパネルと、前記走査電極に接続され該走査電極に対する駆動電圧波形を供給する走査ドライバと、前記アドレス電極に接続され該アドレス電極に対する駆動電圧波形を供給するアドレスドライバと、前記共通電極に接続され該共通電極に対する駆動電圧波形を供給する共通電極ドライバと、前記走査ドライバ、前記アドレスドライバおよび前記共通電極ドライバを含む前記フラットディスプレイパネルの駆動回路の動作を制御する制御回路と、を有するフラットディスプレイ装置であって、前記走査ドライバ、前記アドレスドライバまたは前記共通電極ドライバに対する駆動負荷量を検出する駆動負荷検出手段と、前記検出された駆動負荷量に基づいて、前記走査電極の駆動電圧、前記アドレス電極の駆動電圧または前記共通電極ドライバの駆動電圧を変更する駆動電圧変更手段を有することを特徴とするフラットディスプレイ装置が提供される。【００３８】
本発明の第４の形態によれば、互いに交差する走査電極およびアドレス電極と、該走査電極に平行に配置された維持電極を構成する共通電極とにより少なくとも表示電極の一部が構成されたフラットディスプレイパネルと、前記走査電極に接続され該走査電極に対する駆動電圧波形を供給する走査ドライバと、前記アドレス電極に接続され該アドレス電極に対する駆動電圧波形を供給するアドレスドライバと、前記共通電極に接続され該共通電極に対する駆動電圧波形を供給する共通電極ドライバと、前記走査ドライバ、前記アドレスドライバおよび前記共通電極ドライバを含む前記フラットディスプレイパネルの駆動回路の動作を制御する制御回路と、を有するフラットディスプレイ装置であって、前記フラットディスプレイパネルの温度を検出するパネル温度検出手段と、前記検出されたフラットディスプレイパネルの温度に基づいて、前記走査電極の駆動電圧、前記アドレス電極の駆動電圧または前記共通電極ドライバの駆動電圧を変更する駆動電圧変更手段を有することを特徴とするフラットディスプレイ装置が提供される。【００３９】
本発明の第５の形態によれば、互いに交差する走査電極およびアドレス電極により少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、前記フラットディスプレイパネルの駆動負荷量が大きくなると、前記走査電極の駆動電圧または前記アドレス電極の駆動電圧を低下させるようにしたことを特徴とするフラットディスプレイ装置の駆動方法が提供される。【００４０】
本発明の第６の形態によれば、互いに交差する走査電極およびアドレス電極により少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、前記フラットディスプレイパネルの温度が高くなると、前記走査電極の駆動電圧または前記アドレス電極の駆動電圧を低下させるようにしたことを特徴とするフラットディスプレイ装置の駆動方法が提供される。【００４１】
本発明の第７の形態によれば、互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、前記フラットディスプレイパネルの駆動負荷量が大きくなると、前記走査電極の駆動電圧、前記アドレス電極の駆動電圧または前記共通電極の駆動電圧を低下させるようにしたことを特徴とするフラットディスプレイ装置の駆動方法が提供される。【００４２】
本発明の第８の形態によれば、互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、前記フラットディスプレイパネルの温度が高くなると、前記走査電極の駆動電圧、前記アドレス電極の駆動電圧または前記共通電極の駆動電圧を低下させるようにしたことを特徴とするフラットディスプレイ装置の駆動方法が提供される。
【発明の効果】
【００４３】
本発明によれば、駆動の低消費電力化並びにこれに対応した回路部品の小型化、放熱構造の簡素化および低価格化を可能とするフラットディスプレイ装置およびその駆動方法を提供することができる。
【図面の簡単な説明】
【００４４】
【図１】従来のフラットディスプレイ装置の一例としての３電極面放電交流駆動型プラズマディスプレイ装置を示すブロック図である。
【図２】図１に示すプラズマディスプレイ装置におけるパネル（ＰＤＰ）の一例を示す平面図である。
【図３】図１に示すプラズマディスプレイ装置におけるパネルの一例を示す断面図である。
【図４】図１に示すプラズマディスプレイ装置の階調シーケンスの一例を示す図である。
【図５】図１に示すプラズマディスプレイ装置の駆動波形の一例を示す図である。
【図６】従来のプラズマディスプレイ装置におけるパネル温度および表示率と駆動電圧との関係を示す図である。
【図７】本発明に係るフラットディスプレイ装置の一例としての３電極面放電交流駆動型プラズマディスプレイ装置を模式的に示すブロック図である。
【図８】本発明に係るフラットディスプレイ装置の一例としてのプラズマディスプレイ装置におけるパネル温度および表示率と駆動電圧との関係を示す図である。
【図９】本発明に係るフラットディスプレイ装置の第１実施例を説明するための図である。
【図１０】本発明に係るフラットディスプレイ装置の第２実施例を説明するための図である。
【図１１】本発明に係るフラットディスプレイ装置の第３実施例を説明するための図である。
【図１２】本発明に係るフラットディスプレイ装置の第４実施例を説明するための図である。
【図１３】本発明に係るフラットディスプレイ装置の第５実施例を説明するための図である。
【図１４】本発明に係るフラットディスプレイ装置の第６実施例を説明するための図（その１）である。
【図１５】本発明に係るフラットディスプレイ装置の第６実施例を説明するための図（その２）である。
【図１６】本発明に係るフラットディスプレイ装置の第７実施例を説明するための図である。
【図１７】本発明に係るフラットディスプレイ装置の一例としてのプラズマディスプレイ装置におけるパネル温度および表示率と駆動電圧およびパルス幅との関係を示す図である。
【図１８】本発明に係るフラットディスプレイ装置の第８実施例を説明するための図である。
【図１９】本発明に係るフラットディスプレイ装置の第９実施例を説明するための図である。
【図２０】本発明に係るフラットディスプレイ装置の第１０実施例を説明するための図である。
【図２１】本発明に係るフラットディスプレイ装置の第１１実施例を説明するための図である。
【図２２】本発明に係るフラットディスプレイ装置の第１２実施例を説明するための図である。
【図２３】本発明に係るフラットディスプレイ装置の第１３実施例を説明するための図である。
【図２４】本発明に係るフラットディスプレイ装置の第１４実施例を説明するための図である。
【図２５】本発明に係るフラットディスプレイ装置の第１５実施例を説明するための図（その１）である。
【図２６】本発明に係るフラットディスプレイ装置の第１５実施例を説明するための図（その２）である。
【図２７】本発明に係るフラットディスプレイ装置の第１５実施例を説明するための図（その３）である。
【符号の説明】
【００４５】
１    ＰＤＰ（プラズマディスプレイパネル）
２    制御回路
３    アドレスドライバ
４    走査ドライバ
５    Ｘ共通ドライバ
６    Ｙ共通ドライバ
１１    前面ガラス基板
１２，Ｘ1〜Ｘn    Ｘ電極
１３，Ｙ1〜Ｙn    Ｙ電極
１４，１７    誘電体層
１５    背面ガラス基板
１６，Ａ1〜Ａm    アドレス電極
１８    蛍光体
１９    隔壁
２１    表示データ制御部
２２    パネル駆動制御部
１００    プラズマディスプレイ装置
１０１，３０１，４０１，５０１    温度センサ
２１１    フレームメモリ
２２１    走査ドライバ制御部
２２２    共通ドライバ制御部
３０２，５０２，６０１    電流センサ
ＣＬＫ    ドットクロック
ＤＡＴＡ    表示画像データ
Ｈsync    水平同期信号
Ｖsync    垂直同期信号
【発明を実施するための最良の形態】
【００４６】
図７は本発明に係るフラットディスプレイ装置の一例としての３電極面放電交流駆動型プラズマディスプレイ装置を模式的に示すブロック図である。【００４７】
図７と前述した図１との比較から明らかなように、本発明に係るフラットディスプレイ装置の一例としての３電極面放電交流駆動型プラズマディスプレイ装置では、図１に示す従来のプラズマディスプレイ装置に対して、さらに、温度センサ１０１，３０１，４０１および５０１、並びに、電流センサ３０２，５０２および６０１を設け、後に詳述するような処理を行うようになっている。なお、他の構成は図１を参照して説明したプラズマディスプレイ装置と同様なので、その説明は省略する。【００４８】
すなわち、図７に示されるように、プラズマディスプレイパネル１に対して温度センサ１０１を取り付け、測定されたパネルの温度情報を制御回路２へ出力するようになっている。また、アドレスドライバ（アドレスドライバ用ＩＣ）３には温度センサ３０１が設けられ該アドレスドライバ用ＩＣの温度を測定して制御回路２へ測定された温度情報を出力すると共に、アドレスドライバ３の消費電流を測定して制御回路２へ出力する電流センサ３０２が設けられている。さらに、走査ドライバ（走査ドライバ用ＩＣ）４には温度センサ４０１が設けられ該走査ドライバ用ＩＣの温度を測定して制御回路２へ測定された温度情報を出力し、Ｙ共通ドライバ６に対しては、Ｙ共通ドライバ６の消費電流を測定して制御回路２へ出力する電流センサ６０１が設けられている。そして、Ｘ共通ドライバ（Ｘ共通ドライバ用回路）５には温度センサ５０１が設けられ該Ｘ共通ドライバ用回路の温度を測定して制御回路２へ測定された温度情報を出力すると共に、Ｘ共通ドライバ５の消費電流を測定して制御回路２へ出力する電流センサ５０２が設けられている。【００４９】
ここで、走査ドライバ４に対して温度センサを設けて電流センサを設けないのは、電流は主として維持放電を行うＹ共通ドライバ６で消費され、また、温度の上昇は主として走査ドライバ４で生じるためである。もちろん、全てのドライバ（ドライバ用ＩＣ）に対して温度センサおよび電流センサの両方を設けることもできるが、逆に、電流センサを設けずに温度センサだけを設けたり、或いは、特定のドライバ用ＩＣ（例えば、アドレスドライバ用ＩＣ）に対してのみ温度センサを設けるというように必要に応じて様々に変形することができる。【００５０】
このような各ドライバに設けた温度センサおよび電流センサにより測定されたデータ（温度情報および電流情報）は制御回路２へ供給され、そこで上記測定データからドライバの駆動負荷量を算出するようになっている。なお、駆動負荷量は、実際の表示画像データ（ＤＡＴＡ）から直接求めることもできる。また、プラズマディスプレイパネル１の温度は、例えば、パネル背面の金属板に取り付けられた温度センサ１０１により測定され、このパネルの温度情報が制御回路２へ供給される。【００５１】
そして、以下に説明するように、パネル温度が高くなると低い駆動電圧で駆動し（放電させ）、また、表示率が高くなると低い駆動電圧で駆動する（放電させる）といった制御を行うことになる。【００５２】
図８は本発明に係るフラットディスプレイ装置の一例としてのプラズマディスプレイ装置におけるパネル温度および表示率と駆動電圧との関係を示す図である。【００５３】
図８に示されるように、パネル温度が低く且つ表示率も低い状態Ｓ１、パネル温度が高く且つ表示率も低い状態Ｓ２、パネル温度が低く且つ表示率が高い状態Ｓ３およびパネル温度が高く且つ表示率も高い状態Ｓ４の間には、パネル温度が高くなると低い駆動電圧で駆動する（放電させる）ことができ、また、表示率が高くなると低い駆動電圧で駆動する（放電させる）ことができるという関係が存在する。【００５４】
すなわち、例えば、プラズマディスプレイパネルは、図５を参照して説明したように、交互に極性が逆転される高圧の駆動パルスにより駆動され、この時、各表示セル内に封入された希ガスの放電発光現象を利用している。そのため、パネル自身の温度によりその駆動電圧の最適値は影響を受けることになる。すなわち、パネルの温度が高い程、希ガスの活性エネルギーは高くなって放電し易くなり従って駆動電圧は低くなり、逆に、温度が低い程、活性エネルギーは低くなって放電し難くなり従って駆動電圧は高くなる傾向がある。【００５５】
また、駆動電圧の最適値は、プラズマディスプレイパネル内に点灯表示されるセルの数、すなわち、全セル数に対する放電発光セル数の割合（表示率）にも影響を受け、表示率が高い程、放電ガス空間内に存在する電子やイオンの量が多くなって放電し易くなるため駆動電圧は低くなり、逆に、表示率が低い程、放電ガス空間内に存在する電子やイオンの量は少なくなり放電し難くなるため駆動電圧は高くなる傾向がある。【００５６】
図８と前述した図６との比較から明らかなように、本発明のプラズマディスプレイ装置（フラットディスプレイ装置）において、駆動パルス（アドレスパルス、走査パルス、共通電極側維持パルスおよびリセットパルス等）の駆動電圧は、前述した状態Ｓ１〜Ｓ４において固定の電圧とするのではなく、パネル温度が高くなると低い駆動電圧で駆動し、また、表示率が高くなると低い駆動電圧で駆動するといった制御を行う。【００５７】
すなわち、図８に示されるように、パネルの全てのセルに対して正常な表示を保持できる最適駆動電圧は、最小駆動電圧（Ｖｄｍｉｎ）と最大駆動電圧（Ｖｄｍａｘ）との間の電圧で示され、この両電圧ともパネル温度と表示率の組み合わせの状態Ｓ１〜Ｓ４に応じて右下がりの傾向で示される。なお、図８において、実際のパネル温度（パネル温度の『低』と『高』の温度の違い）および表示率（表示率の『低』と『高』の割合の違い）によっては状態Ｓ２およびＳ３が逆転することがあるのは前述した通りである。【００５８】
図６と図８との比較から明らかなように、従来のフラットディスプレイ装置では、駆動パルスの電圧（駆動電圧）を状態Ｓ１〜Ｓ４の全てを満足する固定の電圧に設定していたのに対して、本発明のフラットディスプレイ装置では、各状態Ｓ１〜Ｓ４に応じて各状態の最小駆動電圧以上で最大駆動電圧以下の範囲内の適切な電圧に設定するようになっている。すなわち、駆動電圧を、パネル温度と表示率の組み合わせからなるそれぞれの状態をセンサにより検出し、それぞれの状態に合わせた最適な駆動パルスに適宜切り替えて設定する。さらに、各状態の最小駆動電圧に近い値に各々設定することにより、全体としての駆動電力の低減を実現することが可能になる。このことは、例えば、従来必要であったアドレスドライバ用ＩＣの放熱器を小さくしたり、或いは、不要とすることも可能とする。【００５９】
以下、本発明に係るフラットディスプレイ装置およびその駆動方法の実施例を、添付図面を参照して詳述する。
【実施例】
【００６０】
図９は本発明に係るフラットディスプレイ装置の第１実施例を説明するための図である。本第１実施例のフラットディスプレイ装置は、アドレス期間において、選択セルに対する書き込みを行うためのアドレス電極へのアドレスパルスと走査電極への走査パルスとの合成パルスとして印加される書き込みパルスに対して適用したものである。【００６１】
図９に示されるように、本第１実施例のフラットディスプレイ装置（プラズマディスプレイ装置）において、走査パルスの電圧（駆動電圧）Ｖｙを状態Ｓ４（最も低い駆動電圧の状態）の最小書き込み電圧Ｖｗｍｉｎよりも小さく、且つ、なるべく高い電圧に設定すると共に、この走査パルスの電圧Ｖｙにアドレスパルスの電圧Ｖａを加算した全体の書き込みパルスの電圧Ｖｗが、状態Ｓ１〜Ｓ４の最小書き込み電圧Ｖｗｍｉｎよりも高く、且つ、なるべく低い電圧に設定することにより、書き込みパルスの電圧Ｖｗを状態Ｓ１〜Ｓ４に合わせて変化させるようになっている。【００６２】
ここで、各状態Ｓ１〜Ｓ４は、パネル温度に関しては、例えば、サーミスタ等の温度検出素子（例えば、図７の温度センサ１０１）をパネル背面の任意の位置に配置して直接検出するか、或いは、パネル背面に並行配置されている回路基板上に複数の温度検出素子を適宜分散配置することにより間接的に検出することができる。なお、温度センサは、例えば、熱の伝導や対流等を考慮してパネル背面の金属板の上方に取り付けることができる。【００６３】
また、表示率に関しては、入力される表示画像データのデータ数をカウントして直接検出するか、維持電源電圧から供給される維持電流値による検出（例えば、図７の電流センサ５０１，６０１）またはアドレスドライバ用ＩＣ（アドレスドライバ）の消費電流の検出（例えば、図７の電流センサ３０２）、或いは、アドレスドライバ用ＩＣ、走査ドライバ用ＩＣおよび共通維持電極駆動回路（Ｘ共通ドライバ用回路）の駆動素子等の温度をモニターしておき（例えば、図７の温度センサ３０１，４０１，５０１）、この温度上昇値により駆動負荷量として間接的に検出することができる。【００６４】
以上のようにして求めたパネル温度および表示率に従って、パネル駆動中における状態Ｓ１〜Ｓ４を割り出し、各状態に合わせるようにアドレスパルスの電圧Ｖａを可変設定する。なお、実際に設定する状態としては、パネル温度および表示率を組み合わせてより多くの状態に対する制御を行うことができるのはいうまでもない。また、検出系や制御回路の簡素化を図るために、必要に応じてパネル温度または表示率のいずれか一方のみを使用しても所定の目的を達せられるのはもちろんである。【００６５】
このように、本第１実施例のフラットディスプレイ装置によれば、アドレス駆動電源の低消費電力化と共に、アドレスドライバ用ＩＣでの消費電力を低減させることができ、この部分の実装構造における放熱形態の簡素化が可能になり小型化や低コスト化を図ることができる。【００６６】
図１０は本発明に係るフラットディスプレイ装置の第２実施例を説明するための図である。【００６７】
図１０に示されるように、本第２実施例のフラットディスプレイ装置は、上述した第１実施例と同様に、本発明を書き込みパルスに適用したものであるが、走査パルス側の電圧Ｖｙを可変するようにしたものである。本第２実施例は、例えば、アドレスドライバ用ＩＣ側の駆動負荷量と走査ドライバ用ＩＣ側の駆動負荷量のモニター値を比較し、走査ドライバ用ＩＣ側の駆動負荷量がより大きい値に検出される場合に適用するのが好ましい。或いは、アドレスドライバ用ＩＣ側の実装構造における放熱形態の簡素化よりも、走査ドライバ用ＩＣ側の放熱形態の簡素化を優先する場合に好ましいものである。【００６８】
図１１は本発明に係るフラットディスプレイ装置の第３実施例を説明するための図である。なお、図１１では、便宜上、状態Ｓ２およびＳ３を１つの状態として描いている。【００６９】
図１１に示されるように、本第３実施例のフラットディスプレイ装置は、上述した第２実施例とほぼ同等であるが、走査パルスの出力方法として、ＧＮＤレベル（接地電圧）から出力するのではなく、共通基準電圧−Ｖｙｂに走査パルスＶｙを重畳するように出力する。すなわち、状態Ｓ２（Ｓ３）では、共通基準電圧−ＶｙｂのＧＮＤレベルからの電位差を小さく（Ｖ０１）とし、状態Ｓ１では、共通基準電圧−ＶｙｂのＧＮＤレベルからの電位差を大きく（Ｖ０２）し、走査パルスの電圧の変化を共通基準電圧−Ｖｙｂにより行うようになっている。【００７０】
本第３実施例のフラットディスプレイ装置によれば、上述した第２実施例の効果に加え、走査ドライバ用ＩＣの耐圧に限界がある場合や走査ドライバ用ＩＣの耐圧以上のパルスを出力する場合に有効である。【００７１】
図１２は本発明に係るフラットディスプレイ装置の第４実施例を説明するための図である。【００７２】
図１２に示されるように、本第４実施例のフラットディスプレイ装置では、前述した状態Ｓ１〜Ｓ４に対応して変化させた書き込みパルスの電圧を、アドレスドライバ用ＩＣと走査ドライバ用ＩＣとの駆動負荷量の比較において、どちらの駆動負荷量を優先させて低減させるか等によって振り分けるものである。【００７３】
本第４実施例のフラットディスプレイ装置は、アドレスドライバ側と走査ドライバ側で書き込みパルスの電圧Ｖｗの大きさ自体を変化しないように振り分ける場合を示している。【００７４】
まず、走査ドライバ用ＩＣおよびアドレスドライバ用ＩＣの駆動負荷量がほぼ同等の場合、これをノーマル状態とし、このノーマル状態では一般的にはアドレス電圧Ｖａを低めに設定すると共に、走査電圧Ｖｙを高めに設定する。この理由は、通常の一般的な表示絵柄において、走査電極側の駆動は１画面の走査の間に１回のみ行われるのに対し、アドレス側の駆動は複数の走査電極に対する走査駆動に対応して複数回行われることになるため、アドレス側の駆動周波数の方が高く、消費電力も大きくなる傾向にある。そこで、アドレスドライバ側と走査ドライバ側の消費電力のバランスをとる必要性から、アドレス電圧Ｖａは低めに設定し、且つ、走査電圧Ｖｙは高めに設定するようにしている。なお、図１２は模式的に示したもので、以上のような電圧の違いは無視して描かれている。【００７５】
このようなノーマル状態から、走査ドライバ用ＩＣの駆動負荷量が相対的に大きくなった場合には、走査電圧−Ｖｙを低くして、その分、アドレス電圧Ｖａを高くする。【００７６】
また、ノーマル状態から、アドレスドライバ用ＩＣの駆動負荷量が相対的に大きくなった場合には、アドレス電圧Ｖａを低くして、その分、走査電圧−Ｖｙを高くする。【００７７】
本第４実施例のフラットディスプレイ装置によれば、アドレスドライバ用ＩＣと走査ドライバ用ＩＣの各々の実装構造における放熱設計に対し、偏りのないバランスのとれた設計が可能になる。【００７８】
図１３は本発明に係るフラットディスプレイ装置の第５実施例を説明するための図である。【００７９】
図１３に示されるように、本第５実施例のフラットディスプレイ装置では、上述した第４実施例に対して図１１を参照して説明した第３実施例の走査パルスの重畳を適用したものであり、各々のメリットを同時に実現することができる。【００８０】
図１４および図１５は本発明に係るフラットディスプレイ装置の第６実施例を説明するための図である。なお、図１５では、便宜上、状態Ｓ２およびＳ３を１つの状態として描いている。【００８１】
図１４および図１５に示されるように、本第６実施例のフラットディスプレイ装置は、本発明を維持パルスに適用したものである。前述したように、パネル温度および表示率から状態Ｓ１〜Ｓ４を検出し、この検出された状態Ｓ１〜Ｓ４に従って走査電極側の維持パルスの電圧Ｖｓｙを可変する。【００８２】
本第６実施例のフラットディスプレイ装置によれば、走査ドライバ用ＩＣ側の実装構造における放熱形態の簡素化を実現することが可能になる。【００８３】
図１６は本発明に係るフラットディスプレイ装置の第７実施例を説明するための図である。【００８４】
図１６に示されるように、本第７実施例のフラットディスプレイ装置は、上述した第６実施例に対して図１２を参照して説明した第４実施例を適用し、走査ドライバ用ＩＣ側と共通維持電極駆動回路（Ｘ共通ドライバ用回路）側との駆動負荷量の比較において、どちらの駆動負荷量を優先させて低減させるかにより制御するものであり、維持パルスの電圧Ｖｓ自体は大きくは変動させないようにしている。【００８５】
本第７実施例のフラットディスプレイ装置によれば、走査ドライバ用ＩＣのみならず、共通維持電極駆動回路（Ｘ共通ドライバ用回路）の実装構造をもバランスさせたトータルとしての最適な設計が可能になる。【００８６】
図１７は本発明に係るフラットディスプレイ装置の一例としてのプラズマディスプレイ装置におけるパネル温度および表示率と駆動電圧およびパルス幅との関係を示す図である。【００８７】
図１７は、図８を参照して説明したプラズマディスプレイ装置におけるパネル温度および表示率と駆動電圧との関係に加え、駆動電圧（駆動パルス）のパルス幅も可変させるように組み合わせたものである。【００８８】
すなわち、駆動パルスのパルス幅を広く設定することにより、表示画素（セル）のガス放電の放電遅れ時間が長くなっても駆動することが可能になるため、状態Ｓ１からＳ４への変化に伴って駆動電圧を低くすると共にパルス幅を広く変化させることにより、図８を参照して説明した場合よりもさらに駆動電圧を低く設定することが可能になる。【００８９】
図１８は本発明に係るフラットディスプレイ装置の第８実施例を説明するための図である。【００９０】
図１８に示すフラットディスプレイ装置の第８実施例は、上述したアドレスドライバ用ＩＣの駆動負荷量の大きさ（小、中、大）またはパネル温度／表示率の状態Ｓ１〜Ｓ４により、駆動パルスのパルス幅も変化させる構成を書き込みパルス（Ｖｗ）のアドレスパルス（Ｖａ）に適用したものである。なお、この場合、図１８に示されるように、一定の電圧とされた走査パルスのパルス幅もアドレスパルスの可変されたパルス幅に対応して変化させて、選択された走査ライン（Ｙ電極）の各セルに対するアドレス放電（書き込み放電）を行わせる必要がある。【００９１】
図１９は本発明に係るフラットディスプレイ装置の第９実施例を説明するための図である。【００９２】
図１９に示すフラットディスプレイ装置の第９実施例は、上述した走査ドライバ用ＩＣの駆動負荷量の大きさ（小、中、大）またはパネル温度／表示率の状態Ｓ１〜Ｓ４により、駆動パルスのパルス幅も変化させる構成を書き込みパルス（Ｖｗ）の走査パルス（−Ｖｙ）に適用したものである。なお、この場合、図１９に示されるように、一定の電圧とされたアドレスパルスのパルス幅も走査パルスの可変されたパルス幅に対応して変化させて、選択された走査ラインの各セルに対するアドレス放電を行わせる必要がある。【００９３】
図２０は本発明に係るフラットディスプレイ装置の第１０実施例を説明するための図である。【００９４】
図２０に示されるように、本第１０実施例のフラットディスプレイ装置において、合成の書き込み電圧値はほぼ一定か若干低めに保った状態で、アドレスパルスの電圧Ｖａの大きさに従ってアドレスパルスおよび走査パルスのパルス幅を同時に変化させるようにしたものである。【００９５】
本第１０実施例のフラットディスプレイ装置によれば、アドレスパルスの電圧Ｖａを集中させてより確実に下げられるという効果がある。【００９６】
図２１は本発明に係るフラットディスプレイ装置の第１１実施例を説明するための図であり、上述した第８実施例〜第１０実施例で説明した書き込みパルスの波形を実際に適用する場合の駆動波形全体を示すものである。【００９７】
図２１に示されるように、本第１１実施例のフラットディスプレイ装置は、走査ドライバ用ＩＣおよびアドレスドライバ用ＩＣの駆動負荷量の状態により書き込みパルスのパルス幅を変化させると、アドレス期間（ＴＡ）の長さが変わるため、その分をサステイン期間（ＴＳ）の維持パルス幅を変化させることにより吸収し、全体の１フレーム（１フィ−ルド）当たりの時間を変えないようにするものである。【００９８】
図２２は本発明に係るフラットディスプレイ装置の第１２実施例を説明するための図である。【００９９】
図２２に示されるように、本第１２実施例のフラットディスプレイ装置は、上述した第１１実施例のフラットディスプレイ装置では維持パルス幅を単純に変化させるだけであるのに対し、この維持パルスに図１７を参照して説明した構成を適用するもので、維持パルスのパルス幅に対応させて維持パルスの電圧を逆比例の関係で変化させるものである。【０１００】
本第１２実施例のフラットディスプレイ装置によれば、維持パルスを含めてより確実な対応を可能とすることができる。【０１０１】
図２３は本発明に係るフラットディスプレイ装置の第１３実施例を説明するための図である。【０１０２】
図２３に示されるように、本第１３実施例のフラットディスプレイ装置は、各放電セルの壁電荷量を初期化するためのリセット期間ＴＲにおける動作として、アドレスドライバ用ＩＣ側の駆動負荷量に合わせて初期の壁電荷量を制御するようにしたものである。【０１０３】
すなわち、本第１３実施例のフラットディスプレイ装置は、アドレスドライバ用ＩＣの駆動負荷量が大きくなった時またはパネル温度／表示率の状態がＳ４側に移行した時にはリセットパルスの電圧を高くすることにより初期壁電荷量を多く生成し、逆に、アドレスドライバ用ＩＣの駆動負荷量が小さくなった時またはパネル温度／表示率の状態がＳ１側に移行した時にはリセットパルスの電圧を低くすることにより初期壁電荷量を少なく生成するようになっている。【０１０４】
このように、リセット期間ＴＲにおいて、アドレスドライバ用ＩＣの駆動負荷量が大きくなった時またはパネル温度／表示率の状態がＳ４側に移行した時にリセットパルスの電圧を高くして初期壁電荷量を多く生成することにより、次のアドレス期間ＴＡでの書き込み放電が発生し易くなるようにして書き込みパルスの電圧を等価的に低く設定する。そして、アドレスドライバ用ＩＣの駆動負荷量が大きくなった時またはパネル温度／表示率の状態がＳ４側に移行した時に上記の動作を行うことにより、アドレスパルスの電圧を低く設定することを可能する。【０１０５】
なお、初期壁電荷量を制御する方法としては、リセットパルスの電圧以外にリセットパルスのパルス幅を制御する方法もあり、パルス幅を広くすることによっても初期壁電荷量を多く生成することができる。【０１０６】
図２４は本発明に係るフラットディスプレイ装置の第１４実施例を説明するための図である。【０１０７】
図２４に示されるように、本第１４実施例のフラットディスプレイ装置は、上述した第１３実施例に対して、さらに、書き込みパルスのパルス幅をも変化させるようにしたものであり、アドレスドライバ用ＩＣの駆動負荷量が大きくなった時またはパネル温度／表示率の状態がＳ４側に移行した時にリセットパルスの電圧を高めて初期壁電荷量を多く生成すると共に、書き込みパルスの電圧を低く変化させると同時にパルス幅をも広く変化させるようになっている。なお、図２４では、一例としてアドレスパルスの電圧とパルス幅を変化させる場合について示しているが、他の駆動パルスに関しても同様である。そして、本第１４実施例のフラットディスプレイ装置によれば、より確実で安定した動作が可能になる。【０１０８】
図２５〜図２７は本発明に係るフラットディスプレイ装置の第１５実施例を説明するための図であり、図８を参照して説明したようなパネル温度および表示率の状態により駆動電圧を制御すると共に、図１７を参照して説明したようなパネル温度および表示率の状態により駆動電圧のパルス幅も制御し、さらに、上述したようなリセットパルスによる初期壁電荷量の制御を総合的に全て適用した駆動波形例を示すものである。【０１０９】
すなわち、本第１５実施例のフラットディスプレイ装置は、アドレスドライバ用ＩＣ側と走査ドライバ用ＩＣ側の駆動負荷量を求めてそれらを比較し、この比較結果に基づいて、以下のように駆動波形を制御する。【０１１０】
まず、アドレスドライバ用ＩＣと走査ドライバ用ＩＣの駆動負荷量が同等の場合、図２６に示されるように、リセットパルス、書き込みパルスおよび維持パルス等全ての駆動パルスの電圧およびパルス幅をバランスのとれた平均的な値に設定する。ただし、前に、図１２を参照して第４実施例で説明したように、書き込みパルスについてはアドレス電圧Ｖａよりも走査電圧Ｖｙの方が高くなるように設定する。なお、図２６は模式的に示したもので、このような電圧の違いは無視して描かれている。【０１１１】
上記の平均的な状態から、走査ドライバ用ＩＣの駆動負荷量の方がアドレスドライバ用ＩＣの駆動負荷量よりも相対的に大きくなった場合、図２５に示されるように、走査側（Ｙ電極側）および共通電極側（Ｘ電極側）の維持パルスの電圧を低くすると共にパルス幅を広くするように変化させる。この時、アドレス期間が短縮されるため、書き込みパルスのパルス幅を狭くすると共に電圧を高くする。図２５では、アドレスパルスの電圧を高くしている。なお、リセットパルスについては、書き込み電圧が高いので初期壁電荷量を少なめにするためにリセット電圧を低くするように変化させる。【０１１２】
次に、上記の平均的な状態から、アドレスドライバ用ＩＣの駆動負荷量の方が走査ドライバ用ＩＣの駆動負荷量よりも相対的に大きくなった場合、図２７に示されるように、アドレスパルスの電圧を低くすると共にパルス幅を広くする。この時、サステイン期間が短縮されるため、走査電極側および共通電極側とも維持パルスのパルス幅を狭くすると共に電圧を高くするように変化させる。図２７では、維持パルスの電圧を高くしている。なお、リセットパルスについては、アドレスパルスの電圧が低いので初期壁電荷量は多めにするためにリセット電圧を高くするように変化させる。【０１１３】
本第１５実施例のフラットディスプレイ装置によれば、アドレスドライバ用ＩＣ側および走査ドライバ用ＩＣとも過大な負荷に対応させることなく平均的な負荷に対応させた設計での構成が可能になり装置全体としての小型化および低コスト化を達成することが可能になる。【０１１４】
以上の各実施例の説明は、主として３電極面放電交流駆動型プラズマディスプレイ装置を例として詳述したが、本発明は、同じガス放電を利用した２電極交流駆動型プラズマディスプレイ装置に対してはもちろん、データ表示率の増加およびパネル温度の上昇に伴ってパネルの駆動電圧が低くなる特性を有するようなフラットディスプレイ装置に対しても幅広く適用することができる。特に、本発明は、自発光型で比較的消費電力の大きいフラットディスプレイ装置に適用した場合に大きな効果を発揮するものである。【０１１５】
上述したように、本発明によれば、フラットディスプレイパネルの各表示電極を駆動する駆動回路（ドライバＩＣ）における消費電力の低減を図ると共に、各駆動回路間の消費電力の平均化を実現することができ、各駆動回路部に対する設計、特に、放熱設計等の簡素化を可能とし、装置全体の小型化および低価格化を実現することができる。
【産業上の利用可能性】
【０１１６】
本発明は、フラットディスプレイ装置に幅広く適用することができるが、特に、パーソナルコンピュータやワークステーション等のディスプレイ装置、平面型の壁掛けテレビジョン、或いは、広告や情報等を表示するための自発光型で大画面化が可能であり、比較的消費電力の大きいプラズマディスプレイ装置を初めとするフラットディスプレイ装置に対して適用することができる。
【図１】
2006013658.tif 000002
【図２】
2006013658.tif 000003
【図３】
2006013658.tif 000004
【図４】
2006013658.tif 000005
【図５】
2006013658.tif 000006
【図６】
2006013658.tif 000007
【図７】
2006013658.tif 000008
【図８】
2006013658.tif 000009
【図９】
2006013658.tif 000010
【図１０】
2006013658.tif 000011
【図１１】
2006013658.tif 000012
【図１２】
2006013658.tif 000013
【図１３】
2006013658.tif 000014
【図１４】
2006013658.tif 000015
【図１５】
2006013658.tif 000016
【図１６】
2006013658.tif 000017
【図１７】
2006013658.tif 000018
【図１８】
2006013658.tif 000019
【図１９】
2006013658.tif 000020
【図２０】
2006013658.tif 000021
【図２１】
2006013658.tif 000022
【図２２】
2006013658.tif 000023
【図２３】
2006013658.tif 000024
【図２４】
2006013658.tif 000025
【図２５】
2006013658.tif 000026
【図２６】
2006013658.tif 000027
【図２７】
2006013658.tif 000028
【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
互いに交差する走査電極およびアドレス電極により少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記走査ドライバおよび前記アドレスドライバを含む前記フラットディスプレイパネルの駆動回路の動作を制御する制御回路と、を有するフラットディスプレイ装置であって、
前記走査ドライバまたは前記アドレスドライバに対する駆動負荷量を検出する駆動負荷検出手段と、
前記検出された駆動負荷量に基づいて、前記走査電極の駆動電圧または前記アドレス電極の駆動電圧を変更する駆動電圧変更手段を有することを特徴とするフラットディスプレイ装置。
【請求項２】
請求項１に記載のフラットディスプレイ装置において、
前記駆動負荷検出手段は、前記フラットディスプレイパネルのデータ表示率に応じて前記走査ドライバまたは前記アドレスドライバに対する駆動負荷量を検出することを特徴とするフラットディスプレイ装置。
【請求項３】
請求項１に記載のフラットディスプレイ装置において、
前記走査ドライバは走査ドライバ用ＩＣとして構成され、且つ、前記アドレスドライバはアドレスドライバ用ＩＣとして構成され、
前記駆動負荷検出手段は、前記走査ドライバ用ＩＣまたは前記アドレスドライバ用ＩＣの温度を検出する温度センサを有し、該検出された前記走査ドライバ用ＩＣまたは前記アドレスドライバ用ＩＣの温度から前記走査ドライバまたは前記アドレスドライバに対する駆動負荷量を検出することを特徴とするフラットディスプレイ装置。
【請求項４】
請求項１に記載のフラットディスプレイ装置において、
前記アドレスドライバはアドレスドライバ用ＩＣとして構成され、
前記駆動負荷検出手段は、前記アドレスドライバ用ＩＣの電流を検出する電流センサを有し、該検出された前記アドレスドライバ用ＩＣの電流から前記アドレスドライバに対する駆動負荷量を検出することを特徴とするフラットディスプレイ装置。
【請求項５】
請求項１に記載のフラットディスプレイ装置において、
該フラットディスプレイ装置は、前記フラットディスプレイパネルのデータ表示率が大きくなると放電ガスの活性化エネルギーが高くなって駆動電圧が低くなる特性を有し、且つ、
前記駆動電圧変更手段は、前記検出された駆動負荷量が大きくなると、前記走査電極の駆動電圧または前記アドレス電極の駆動電圧を低下させることを特徴とするフラットディスプレイ装置。
【請求項６】
互いに交差する走査電極およびアドレス電極により少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記走査ドライバおよび前記アドレスドライバを含む前記フラットディスプレイパネルの駆動回路の動作を制御する制御回路と、を有するフラットディスプレイ装置であって、
前記フラットディスプレイパネルの温度を検出するパネル温度検出手段と、
前記検出されたフラットディスプレイパネルの温度に基づいて、前記走査電極の駆動電圧または前記アドレス電極の駆動電圧を変更する駆動電圧変更手段を有することを特徴とするフラットディスプレイ装置。
【請求項７】
請求項６に記載のフラットディスプレイ装置において、
該フラットディスプレイ装置は、前記フラットディスプレイパネルの温度が高くなると放電ガスの活性化エネルギーが高くなって駆動電圧が低くなる特性を有し、且つ、
前記駆動電圧変更手段は、前記検出されたフラットディスプレイパネルの温度が高くなると、前記走査電極の駆動電圧または前記アドレス電極の駆動電圧を低下させることを特徴とするフラットディスプレイ装置。
【請求項８】
請求項１または６に記載のフラットディスプレイ装置において、さらに、
前記走査電極の駆動電圧と前記アドレス電極の駆動電圧との合成電圧の絶対値をほぼ一定値を保つようにして該走査電極および該アドレス電極への印加電圧の割合を変更する印加電圧割合変更手段を備えることを特徴とするフラットディスプレイ装置。
【請求項９】
請求項１または６に記載のフラットディスプレイ装置において、さらに、
前記走査電極または前記アドレス電極の各駆動電圧に応じて、該走査電極または該アドレス電極の各駆動時間幅を変更する駆動時間幅変更手段を備えることを特徴とするフラットディスプレイ装置。
【請求項１０】
請求項９に記載のフラットディスプレイ装置において、さらに、
前記走査電極の駆動電圧と駆動時間幅との関係または前記アドレス電極の駆動電圧と駆動時間幅との関係を逆比例の関係で変更する電圧時間幅変更手段を備えることを特徴とするフラットディスプレイ装置。
【請求項１１】
請求項１または６に記載のフラットディスプレイ装置において、
前記走査電極の駆動波形は、該走査電極上の表示画素を選択するための走査パルスと、表示画素を維持するための維持パルスと、表示画素を選択するに当り画面を初期化するためのリセットパルスとを含み、
前記アドレス電極の駆動波形は、該アドレス電極上の表示画素を選択するためのアドレスパルスを含み、そして、前記フラットディスプレイ装置は、さらに、
前記駆動負荷量または前記パネルの温度の検出値に基づいて、前記走査パルス、前記維持パルス、前記リセットパルスまたは前記アドレスパルスのいずれかの駆動電圧を変更するパルス電圧変更手段を備えることを特徴とするフラットディスプレイ装置。
【請求項１２】
請求項１〜１１のいずれか１項に記載のフラットディスプレイ装置において、前記フラットディスプレイパネルは、プラズマディスプレイパネルであることを特徴とするフラットディスプレイ装置。
【請求項１３】
互いに交差する走査電極およびアドレス電極と、該走査電極に平行に配置された維持電極を構成する共通電極とにより少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記共通電極に接続され該共通電極に対する駆動電圧波形を供給する共通電極ドライバと、
前記走査ドライバ、前記アドレスドライバおよび前記共通電極ドライバを含む前記フラットディスプレイパネルの駆動回路の動作を制御する制御回路と、を有するフラットディスプレイ装置であって、
前記走査ドライバ、前記アドレスドライバまたは前記共通電極ドライバに対する駆動負荷量を検出する駆動負荷検出手段と、
前記検出された駆動負荷量に基づいて、前記走査電極の駆動電圧、前記アドレス電極の駆動電圧または前記共通電極ドライバの駆動電圧を変更する駆動電圧変更手段を有することを特徴とするフラットディスプレイ装置。
【請求項１４】
請求項１３に記載のフラットディスプレイ装置において、
前記駆動負荷検出手段は、前記フラットディスプレイパネルのデータ表示率に応じて前記走査ドライバ、前記アドレスドライバまたは前記共通電極ドライバに対する駆動負荷量を検出することを特徴とするフラットディスプレイ装置。
【請求項１５】
請求項１３に記載のフラットディスプレイ装置において、
前記走査ドライバは走査ドライバ用ＩＣとして構成され、前記アドレスドライバはアドレスドライバ用ＩＣとして構成され、
前記駆動負荷検出手段は、前記走査ドライバ用ＩＣ、前記アドレスドライバ用ＩＣまたは前記共通電極ドライバ用ＩＣの温度を検出する温度センサを有し、該温度センサで検出された前記走査ドライバ用ＩＣ、前記アドレスドライバ用ＩＣまたは前記共通電極ドライバ用ＩＣの温度から前記走査ドライバ、前記アドレスドライバまたは前記共通電極ドライバに対する駆動負荷量を検出することを特徴とするフラットディスプレイ装置。
【請求項１６】
請求項１３に記載のフラットディスプレイ装置において、
前記走査ドライバは該走査ドライバを介して前記走査電極を駆動するＸ共通ドライバを備え、前記共通ドライバは前記共通電極を駆動するＹ共通ドライバを備え、該Ｘ共通ドライバおよび該Ｙ共通ドライバにより維持放電を行うことを特徴とするフラットディスプレイ装置。
【請求項１７】
請求項１６に記載のフラットディスプレイ装置において、
前記走査ドライバは走査ドライバ用ＩＣとして構成され、前記アドレスドライバはアドレスドライバ用ＩＣとして構成され、
前記駆動負荷検出手段は、前記走査ドライバ用ＩＣ、前記アドレスドライバ用ＩＣまたは前記共通電極ドライバ用ＩＣの電流を検出する電流センサを有し、該電流センサで検出された前記走査ドライバ用ＩＣ、前記アドレスドライバ用ＩＣまたは前記共通電極ドライバ用ＩＣの電流から前記走査ドライバ、前記アドレスドライバまたは前記共通電極ドライバに対する駆動負荷量を検出することを特徴とするフラットディスプレイ装置。
【請求項１８】
請求項１３に記載のフラットディスプレイ装置において、
該フラットディスプレイ装置は、前記フラットディスプレイパネルのデータ表示率が大きくなると放電ガスの活性化エネルギーが高くなって駆動電圧が低くなる特性を有し、且つ、
前記駆動電圧変更手段は、前記検出された駆動負荷量が大きくなると、前記走査電極の駆動電圧、前記アドレス電極の駆動電圧または前記共通電極ドライバの駆動電圧を低下させることを特徴とするフラットディスプレイ装置。
【請求項１９】
互いに交差する走査電極およびアドレス電極と、該走査電極に平行に配置された維持電極を構成する共通電極とにより少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記共通電極に接続され該共通電極に対する駆動電圧波形を供給する共通電極ドライバと、
前記走査ドライバ、前記アドレスドライバおよび前記共通電極ドライバを含む前記フラットディスプレイパネルの駆動回路の動作を制御する制御回路と、を有するフラットディスプレイ装置であって、
前記フラットディスプレイパネルの温度を検出するパネル温度検出手段と、
前記検出されたフラットディスプレイパネルの温度に基づいて、前記走査電極の駆動電圧、前記アドレス電極の駆動電圧または前記共通電極ドライバの駆動電圧を変更する駆動電圧変更手段を有することを特徴とするフラットディスプレイ装置。
【請求項２０】
請求項１９に記載のフラットディスプレイ装置において、
該フラットディスプレイ装置は、前記フラットディスプレイパネルの温度が高くなると放電ガスの活性化エネルギーが高くなって駆動電圧が低くなる特性を有し、且つ、
前記駆動電圧変更手段は、前記検出されたフラットディスプレイパネルの温度が高くなると、前記走査電極の駆動電圧、前記アドレス電極の駆動電圧または前記共通電極ドライバの駆動電圧を低下させることを特徴とするフラットディスプレイ装置。
【請求項２１】
請求項１３または１９に記載のフラットディスプレイ装置において、さらに、
前記走査電極、前記アドレス電極および前記共通電極の内、２つの電極の組み合わせに印加する駆動電圧の合成電圧の絶対値をほぼ一定値を保つようにして該２つの電極の組み合わせへの印加電圧の割合を変更する印加電圧割合変更手段を備えることを特徴とするフラットディスプレイ装置。
【請求項２２】
請求項１３または１９に記載のフラットディスプレイ装置において、さらに、
前記走査電極、前記アドレス電極または前記共通電極の各駆動電圧に応じて、該走査電極、該アドレス電極または該共通電極の各駆動時間幅を変更する駆動時間幅変更手段を備えることを特徴とするフラットディスプレイ装置。
【請求項２３】
請求項２２に記載のフラットディスプレイ装置において、さらに、
前記走査電極の駆動電圧と駆動時間幅との関係、前記アドレス電極の駆動電圧と駆動時間幅との関係、または、前記共通電極の駆動電圧と駆動時間幅との関係を逆比例の関係で変更する電圧時間幅変更手段を備えることを特徴とするフラットディスプレイ装置。
【請求項２４】
請求項１３または１９に記載のフラットディスプレイ装置において、
前記走査電極の駆動波形は、該走査電極上の表示画素を選択するための走査パルスと、表示画素を維持するための走査電極側維持パルスと、表示画素を選択するに当り画面を初期化するための走査電極側リセットパルスとを含み、
前記アドレス電極の駆動波形は、該アドレス電極上の表示画素を選択するためのアドレスパルスを含み、そして、前記フラットディスプレイ装置は、さらに、
前記駆動負荷量または前記パネルの温度の検出値に基づいて、前記走査パルス、走査電極側維持パルス、走査電極側リセットパルス、アドレスパルス、共通電極側維持パルス、または、共通電極側リセットパルスのいずれかの駆動電圧を変更するパルス電圧変更手段を備えることを特徴とするフラットディスプレイ装置。
【請求項２５】
請求項１３〜２４のいずれか１項に記載のフラットディスプレイ装置において、前記フラットディスプレイパネルは、３電極面放電交流駆動型プラズマディスプレイ装置であることを特徴とするフラットディスプレイ装置。
【請求項２６】
互いに交差する走査電極およびアドレス電極により少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、
前記フラットディスプレイパネルの駆動負荷量が大きくなると、前記走査電極の駆動電圧または前記アドレス電極の駆動電圧を低下させるようにしたことを特徴とするフラットディスプレイ装置の駆動方法。
【請求項２７】
請求項２３に記載のフラットディスプレイ装置の駆動方法において、
前記フラットディスプレイパネルの駆動負荷量を、該フラットディスプレイパネルのデータ表示率により、若しくは、前記走査電極または前記アドレス電極を駆動するためのＩＣの温度、或いは、前記走査電極または前記アドレス電極を駆動するためのＩＣの電流を測定して求めるようにしたことを特徴とするフラットディスプレイ装置の駆動方法。
【請求項２８】
互いに交差する走査電極およびアドレス電極により少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、
前記フラットディスプレイパネルの温度が高くなると、前記走査電極の駆動電圧または前記アドレス電極の駆動電圧を低下させるようにしたことを特徴とするフラットディスプレイ装置の駆動方法。
【請求項２９】
請求項２６または２８に記載のフラットディスプレイ装置の駆動方法において、
前記走査電極の駆動電圧と前記アドレス電極の駆動電圧との合成電圧の絶対値をほぼ一定値を保つようにして該走査電極および該アドレス電極への印加電圧の割合を変更するようにしたことを特徴とするフラットディスプレイ装置の駆動方法。
【請求項３０】
請求項２６または２８に記載のフラットディスプレイ装置の駆動方法において、
前記走査電極の駆動電圧と駆動時間幅との関係または前記アドレス電極の駆動電圧と駆動時間幅との関係を逆比例の関係で変更するようにしたことを特徴とするフラットディスプレイ装置の駆動方法。
【請求項３１】
請求項２６または２８に記載のフラットディスプレイ装置の駆動方法において、
前記走査電極の駆動波形は、該走査電極上の表示画素を選択するための走査パルスと、表示画素を維持するための維持パルスと、表示画素を選択するに当り画面を初期化するためのリセットパルスとを含み、
前記アドレス電極の駆動波形は、該アドレス電極上の表示画素を選択するためのアドレスパルスを含み、
前記駆動負荷量または前記パネルの温度の検出値に基づいて、前記走査パルス、前記維持パルス、前記リセットパルスまたは前記アドレスパルスのいずれかの駆動電圧を変更するようにしたことを特徴とするフラットディスプレイ装置の駆動方法。
【請求項３２】
請求項２６〜３１のいずれか１項に記載のフラットディスプレイ装置の駆動方法において、前記フラットディスプレイパネルは、プラズマディスプレイパネルであることを特徴とするフラットディスプレイ装置の駆動方法。
【請求項３３】
互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、
前記フラットディスプレイパネルの駆動負荷量が大きくなると、前記走査電極の駆動電圧、前記アドレス電極の駆動電圧または前記共通電極の駆動電圧を低下させるようにしたことを特徴とするフラットディスプレイ装置の駆動方法。
【請求項３４】
請求項３３に記載のフラットディスプレイ装置の駆動方法において、
前記フラットディスプレイパネルの駆動負荷量を、該フラットディスプレイパネルのデータ表示率により、若しくは、前記走査電極，前記アドレス電極または前記共通電極を駆動するためのＩＣの温度、或いは、該走査電極，該アドレス電極または該共通電極を駆動するためのＩＣの電流を測定して求めるようにしたことを特徴とするフラットディスプレイ装置の駆動方法。
【請求項３５】
互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、
前記フラットディスプレイパネルの温度が高くなると、前記走査電極の駆動電圧、前記アドレス電極の駆動電圧または前記共通電極の駆動電圧を低下させるようにしたことを特徴とするフラットディスプレイ装置の駆動方法。
【請求項３６】
請求項３３または３５に記載のフラットディスプレイ装置の駆動方法において、
前記走査電極、前記アドレス電極および前記共通電極の内、２つの電極の組み合わせに印加する駆動電圧の合成電圧の絶対値をほぼ一定値を保つようにして該２つの電極の組み合わせへの印加電圧の割合を変更する印加電圧割合変更手段を備えることを特徴とするフラットディスプレイ装置の駆動方法。
【請求項３７】
請求項３３または３５に記載のフラットディスプレイ装置の駆動方法において、
前記走査電極の駆動電圧と駆動時間幅との関係、前記アドレス電極の駆動電圧と駆動時間幅との関係、または、前記共通電極の駆動電圧と駆動時間幅との関係を逆比例の関係で変更するようにしたことを特徴とするフラットディスプレイ装置の駆動方法。
【請求項３８】
請求項３３または３５に記載のフラットディスプレイ装置の駆動方法において、
前記走査電極の駆動波形は、該走査電極上の表示画素を選択するための走査パルスと、表示画素を維持するための走査電極側維持パルスと、表示画素を選択するに当り画面を初期化するための走査電極側リセットパルスとを含み、
前記アドレス電極の駆動波形は、該アドレス電極上の表示画素を選択するためのアドレスパルスを含み、
前記駆動負荷量または前記パネルの温度の検出値に基づいて、前記走査パルス、走査電極側維持パルス、走査電極側リセットパルス、アドレスパルス、共通電極側維持パルス、または、共通電極側リセットパルスのいずれかの駆動電圧を変更するようにしたことを特徴とするフラットディスプレイ装置の駆動方法。
【請求項３９】
請求項３３〜３８のいずれか１項に記載のフラットディスプレイ装置の駆動方法において、前記フラットディスプレイパネルは、３電極面放電交流駆動型プラズマディスプレイ装置であることを特徴とするフラットディスプレイ装置の駆動方法。
【手続補正２】
【補正対象書類名】明細書
【補正対象項目名】全文
【補正方法】変更
【補正の内容】
【発明の詳細な説明】
【技術分野】
【０００１】
本発明は、フラットディスプレイ装置およびその駆動方法に関し、特に、プラズマディスプレイパネル（ＰＤＰ：Plasma Display Panel）等の自発光型で大画面化が可能であり、比較的消費電力の大きいフラットディスプレイ装置およびその駆動方法に関する。
【背景技術】
【０００２】
近年、フラットパネルディスプレイは、従来のブラウン管（ＣＲＴ）を用いた表示装置に置き換わり、小型から大型まで広い範囲の表示装置として実用化が進められつつある。小型の表示装置としては液晶表示装置（ＬＣＤ）や有機エレクトロルミネッセンス（ＥＬ）が、大型の表示装置としてはプラズマディスプレイ装置が、それぞれの適性を生かしながら適用が進められている。そして、今後、より広範囲な普及を促すためには、表示装置自身の低価格化や表示特性のさらなる向上、並びに、その他機能および性能面での一段の向上が望まれている。さらに、現在、環境負荷への影響を低減する要求が益々強くなりつつあり、今後の一般家庭への広範囲な普及のためには、表示装置の低電力化等を図ることが強く求められつつある。
【０００３】
すなわち、従来、例えば、平面型の画像表示装置として面放電を行うプラズマディスプレイ装置が実用化され、画面上の全画素を表示画像データに応じて同時に発光させるようになっている。面放電を行うプラズマディスプレイ装置は、前面ガラス基板の内面に一対の電極が形成され、内部に希ガスが封入された構造になっている。電極間に電圧を印加すると、電極面上に形成された誘電体層および保護層の表面で面放電が起こり、紫外線が発生する。背面ガラス基板の内面には、３原色である赤色（Ｒ）、緑色（Ｇ）および青色（Ｂ）の蛍光体が塗布されており、紫外線によりこれらの蛍光体を励起発光させることによってカラー表示を行うようになっている。
【０００４】
図１は従来のフラットディスプレイ装置の一例としての３電極面放電交流駆動型プラズマディスプレイ装置を示すブロック図である。
図１に示されるように、プラズマディスプレイ装置１００は、ＰＤＰ（プラズマディスプレイパネル）１と、該ＰＤＰ１の各表示セルを駆動するためのアドレスドライバ３，走査ドライバ４，Ｘ共通ドライバ５およびＹ共通ドライバ６と、これら各ドライバ３〜６を制御する制御回路２とを備えている。
【０００５】
制御回路２は、アドレスドライバ３を制御する表示データ制御部２１、並びに、走査ドライバ４，Ｘ共通ドライバ５およびＹ共通ドライバ６を制御するパネル駆動制御部２２を備え、ＴＶチューナやコンピュータ等の外部装置からＲ，Ｇ，Ｂの３色の輝度レベルを示す表示画像データＤＡＴＡおよび各種の同期信号（ドットクロックＣＬＫ，水平同期信号Ｈsync，垂直同期信号Ｖsync）を受け取って、アドレスドライバ３，走査ドライバ４，Ｘ共通ドライバ５およびＹ共通ドライバ６に適した制御信号を出力して所定の画像表示を行うようになっている。ここで、表示データ制御部２１は、入力された表示画像データＤＡＴＡを一時的に記憶するフレームメモリ２１を備え、また、パネル駆動制御部２２は、走査ドライバ４を制御する走査ドライバ制御部２２１、並びに、Ｘ共通ドライバ５およびＹ共通ドライバを制御する共通ドライバ制御部２２２を備えている。
【０００６】
アドレスドライバ３は各アドレス電極Ａ1〜Ａm（１６）に対する表示画像データＤＡＴＡに対応したアドレスパルス（アドレス放電電圧）を発生するためのアドレスドライバ用ＩＣとして構成され、Ｘ共通ドライバ５はＸ電極Ｘ1〜Ｘn（１２）に対する維持パルス（維持放電電圧）を発生するためのＸ共通ドライバ用回路として構成され、Ｙ共通ドライバ６は走査ドライバ４を介してＹ電極Ｙ1〜Ｙn（１３）に対する維持パルスを発生するＹ共通ドライバ用回路として構成され、そして、走査ドライバ４は各Ｙ電極Ｙ1〜Ｙnを独立して駆動し走査するための走査ドライバ用ＩＣとして構成されている。
【０００７】
ここで、最近では、走査ドライバ用ＩＣ自身に維持パルスを発生させる機能をも持たせてＹ共通ドライバ６の維持パルス発生回路を減らして小型化を図ったものの開発も進められつつある。なお、アドレスドライバ３，走査ドライバ４，Ｘ共通ドライバ５およびＹ共通ドライバ６により発生され、各電極に印加される所定の電圧レベルを有する駆動波形は、後に、図５を参照して説明する。
【０００８】
図２は図１に示すプラズマディスプレイ装置におけるパネル（ＰＤＰ：３電極面放電交流駆動型プラズマディスプレイパネル）の一例を示す平面図であり、図３は図１に示すプラズマディスプレイ装置におけるパネルの一例を示す断面図（水平方向）である。
【０００９】
図２および図３において、参照符号１はＰＤＰ、１１は前面ガラス基板、１２はＸ電極（Ｘ1〜Ｘn）、１３はＹ電極（Ｙ1〜Ｙn）、１４および１７は誘電体層、１５は背面ガラス基板、１６はアドレス電極（Ａ1〜Ａm）、１８は蛍光体、そして、１９は隔壁を示している。なお、実際のＰＤＰ１は、例えば、Ｘ電極１２および１３がそれぞれ透明電極およびバス電極により構成され、また、誘電体層１４および１７の外側に保護膜が設けられる等の構成とされている。
【００１０】
そして、Ｘ電極１２およびＹ電極１３が設けられた前面ガラス基板１１と、該Ｘ電極１２およびＹ電極１３に対して垂直にアドレス電極１６が設けられた背面ガラス基板１５との間には、ネオンとキセノンの混合ガスなどの放電ガスが充填され、Ｘ電極およびＹ電極とアドレス電極との交差部の放電空間により１つの放電セルが構成されることになる。
【００１１】
ここで、ＰＤＰ１のアドレス電極構造は、対向電極間（アドレス電極１６とＸ電極１２との間、或いは、アドレス電極１６とＹ電極１３との間）には発光放電用のガス空間が介在するため比較的小さい静電容量（寄生容量）Ｃｇが存在するのに対して、隣接電極間（例えば、隣接するアドレス電極の間）には絶縁層が満ちているため、比較的大きい静電容量（寄生容量）Ｃａが存在する。そして、プラズマディスプレイ装置の消費電力は、この隣接電極間の容量Ｃａを走査動作の切り替わり毎に充放電するような動作の頻度が高いほど大きくなり、全ての走査動作毎に充放電する場合において最大の消費電力が発生する。
【００１２】
具体的に、このような最大の消費電力が発生する表示絵柄としては、アドレス電極の隣接間で走査動作毎に点灯と消灯を逆転させるような表示パターンであり、走査動作をプログレッシブに行う場合には、ドットの千鳥配列の表示パターンである。この時の消費電力値は、概略、通常の平均的な表示絵柄に対して２〜３倍の大きさになる。
【００１３】
図４は図１に示すプラズマディスプレイ装置の階調シーケンスの一例を示す図である。
図４に示されるように、プラズマディスプレイ装置における階調駆動シーケンスは、１フレーム（１フィールド）をそれぞれ所定の輝度の重みを有する複数のサブフレーム（サブフィールド）ＳＦ１〜ＳＦｎで構成し、各サブフレームの組み合わせにより所望の階調表示を行うようになっている。具体的に、複数のサブフレームとしては、例えば、２の巾乗の輝度重みを有する８つのサブフレームＳＦ１〜ＳＦ８（維持放電の回数の比が１：２：４：８：１６：３２：６４：１２８）により２５６階調の表示を行うようになっている。なお、実際のプラズマディスプレイ装置の階調シーケンスにおいては、輝度重みを２の巾乗とせずに、各サブフレームＳＦ１〜ＳＦ８の輝度の重みを必要に応じて設定したり、或いは、同じ重みのサブフレームを複数設ける等の様々な変更が行われている。
【００１４】
図５は図１に示すプラズマディスプレイ装置の駆動波形の一例を示す図であり、画像表示を行うための各電極に対する基本的な駆動波形を概略的に示すものである。
図５および図４に示されるように、従来のプラズマディスプレイ装置における１サブフレーム（ＳＦ）の駆動波形は、リセット期間ＴＲ、アドレス期間ＴＡおよびサステイン期間ＴＳで構成され、リセット期間ＴＲにおいて各表示画素の初期化を行い、次のアドレス期間ＴＡにおいて表示する画素を選択し、最後のサステイン期間ＴＳにおいて選択された画素を発光させることで、所定の明るさでの表示を行っている。
【００１５】
アドレス期間においては、走査電極であるＹ電極（Ｙ1〜Ｙn：１３）に対し、順次，−Ｖｙレベルの走査パルスを切り替え印加するが、それぞれのＹ電極への走査パルスの印加に同期させて、各アドレス電極（Ａ1〜Ａm：１３）に対し、Ｖａレベルのアドレスパルスを印加することにより、各走査ライン上の画素選択を行う。
【００１６】
さらに、サステイン期間ＴＳにおいては、全ての走査電極（Ｙ1〜Ｙn：１３）と共通Ｘ電極（Ｘ1〜Ｘn：１２）に対し、共通のＶｓｙおよびＶｓｘレベルの維持パルス（維持放電電圧）を交互に印加することにより、先の選択された画素に対して発光を生じさせ、この連続印加により所定輝度での表示を行っている。さらに、このような一連の駆動波形の基本動作を組み合わせて発光回数を制御することにより、濃淡の階調表示を行っている。
【００１７】
上述したように、プラズマディスプレイ装置のアドレス電極駆動部に対する消費電力は、隣接電極間の容量Ｃａを走査動作の切り替わり毎に充放電するような動作の頻度が高いほど大きくなるが、従来、アドレスドライバの消費電力を削減するために、第１のアドレス電極のアドレスパルス信号の立ち上がりと該第１のアドレス電極に隣接する第２のアドレス電極のアドレスパルス信号の立ち下がりとが所定の時間差を有するようにしたプラズマディスプレイ装置が提案されている（例えば、特許文献１参照）。
【００１８】
また、従来、スキャン駆動の方式として、スキャン電極側に常時電子を蓄積しておくプラズマディスプレイパネル（ＰＤＰ）において、ＰＤＰの温度上昇に伴ってスキャン電極側に蓄積された電子が放出し易くなるのを防止してＰＤＰの表示特性を補償するために、バイアス電圧を高くするようにしたプラズマディスプレイ装置が提案されている（例えば、特許文献２参照）。
【００１９】
さらに、従来、ＰＤＰに駆動電力を供給するＰＤＰ駆動回路および駆動電力を制御する制御部を備え、ＰＤＰ駆動回路が制御部における電圧調節回路で生成された電力補正値に基づいて駆動電力を出力するＰＤＰ表示装置も提案されている（例えば、特許文献３参照）。また、従来、パネル温度が上昇した場合や長時間パネルを点灯した場合に、走査パルス印加時を除く書き込み期間中にスキャン側電極に印加される電圧を増加させ、不要な放電が生じて著しく表示点灯状態が劣化するのを防止するようにしたプラズマディスプレイ装置も提案されている（例えば、特許文献４参照）。
【００２０】
【特許文献１】特開平１０−１２３９９８号公報
【特許文献２】特開平０９−００６２８３号公報
【特許文献３】特開２００３−０１５５９３号公報
【特許文献４】特開２００３−１２２２９６号公報
【発明の開示】
【発明が解決しようとする課題】
【００２１】
前述したような自発光型の表示装置であるプラズマディスプレイ装置は、パネル全面のセル数に対する発光点灯している表示セルの割合（表示率）が増える程、ガス放電電流の増加に伴う消費電力が増える特性を有しており、そこで、表示率の増加に従って維持電圧波形の周波数を下げる等の工夫により消費電力の増加を抑えるようにしている。
【００２２】
しかしながら、維持電圧波形の周波数を下げることは、表示の明るさを低下させることに繋がるため、表示品質確保の観点からは一定の限界がある。すなわち、維持電圧波形の周波数は、ある所定の周波数以下にすることができず、その結果、ある一定の消費電力値を許容する設計が必要になっている。
【００２３】
このような電力消費が発生する駆動回路（ドライバ）は、走査電極側は走査ドライバ用ＩＣ部（走査ドライバ４）、また、共通電極側は個別の駆動回路部品部（Ｘ共通ドライバ５およびＹ共通ドライバ６）であるため、これらに対して所定の電力消費を許容する放熱性能を持たせる熱設計が必要になる。
【００２４】
ここで、走査ドライバ用ＩＣ部と駆動回路部品部の両者に対する放熱設計を比較すると、駆動回路部品部は、例えば、ＦＥＴ等の個別素子で構成されており素子構造が簡単で接続端子数が少ないため比較的簡単に低価格で良好な放熱設計を施すことが可能であるのに対して、走査ドライバ用ＩＣ部は、例えば、多端子を有する複数のＩＣがフレキシブル基板に接続された構造であるため、各ＩＣに対してバラツキの少ない均一な放熱構造を施すことは複雑な構造設計が必要になるため、高価格になる。そこで、この走査ドライバ用ＩＣ部に対しては、可能な限り簡易な放熱構造で済ますことが望まれている。なお、Ｘ共通ドライバ５、Ｙ共通ドライバ６およびアドレスドライバ３として使用するＩＣにおいても、簡単な放熱設計で十分であれば、それに越したことはないのはいうまでもない。
【００２５】
また、従来、アドレスパルスの印加タイミングの制御によりアドレス駆動の電力を低減することができても、例えば、千鳥配列の表示パターンにおいてピーク電力が発生する特性は依然改善されないままである。さらに、アドレス電極側の駆動電流または素子温度をモニターしておきこれらが増加した場合、サブフレーム数を減らすことにより等価的にアドレス周波数を下げてピーク電力を抑える工夫も行われているが、サブフレーム数を減らすと階調表現が劣化するため表示品質確保の観点からはあまり好ましい対策とは言えない。
【００２６】
図６は従来のプラズマディスプレイ装置におけるパネル温度および表示率と駆動電圧との関係を示す図である。
まず、図６に示されるように、プラズマディスプレイ装置の駆動パルス（アドレスパルス、走査パルス、共通電極側維持パルスおよびリセットパルス等）の電圧（駆動電圧）には、最大駆動電圧（Ｖｄｍａｘ）および最小駆動電圧（Ｖｄｍｉｎ）があり、各電極に与える駆動パルスは、上記最大駆動電圧と最小駆動電圧との間の電圧に設定する必要がある。
【００２７】
ところで、本発明者達は、図１〜図５に示すような従来のプラズマディスプレイ装置において、パネル温度および表示率と駆動電圧（最大駆動電圧および最小駆動電圧）との間に法則性があることを知見した。すなわち、図１〜図５に示すような従来のプラズマディスプレイ装置においては、パネル温度が高くなると、パネル温度が低い場合よりも駆動電圧を低下させることができ、また、表示率が高くなると、表示率が低い場合よりも駆動電圧を低下させることができることを確認した。
【００２８】
すなわち、パネル温度が低く且つ表示率も低い状態Ｓ１、パネル温度が高く且つ表示率も低い状態Ｓ２、パネル温度が低く且つ表示率が高い状態Ｓ３およびパネル温度が高く且つ表示率も高い状態Ｓ４の間には、図６に示されるようなパネル温度が高くなると低い駆動電圧で駆動する（放電させる）ことができ、また、表示率が高くなると低い駆動電圧で駆動する（放電させる）ことができることを確認した。これは、パネル温度が高くなると、放電により生じるパネルの各セル中の空間電荷が増大するために低い電圧の駆動パルスで放電が生じるためであると考えられ、また、表示率が高くなると、パネルにおいて同時に放電するセルの割合が多くなってセル全体に供給される空間電荷が増大し、低い電圧の駆動パルスで放電が生じるためであると考えられている。
【００２９】
なお、図６において、実際のパネル温度（パネル温度の『低』と『高』の温度の違い）および表示率（表示率の『低』と『高』の割合の違い）によっては状態Ｓ２およびＳ３が逆転することがあるのはいうまでもない。また、図６中で示したパネル温度は、例えば、本発明に係るフラットディスプレイ装置の説明として後述するように、パネル背面の金属板に温度センサを取り付けて測定することができ、また、表示率は、表示画像データ（ＤＡＴＡ）から直接求めるか、或いは、各ドライバに設けた電流センサや温度センサ等で測定した値から求めることができる。
【００３０】
そして、図６に示されるように、従来のプラズマディスプレイ装置（フラットディスプレイ装置）において、駆動パルス（アドレスパルス、走査パルス、共通電極側維持パルスおよびリセットパルス等）の駆動電圧は、前述した状態Ｓ１〜Ｓ４の全てを満たす電圧マージン内の固定の電圧として設定されていた。すなわち、従来のプラズマディスプレイ装置においては、パネル温度や表示率に関わらず駆動パルスは一定の電圧とされており、ドライバ用ＩＣの消費電流を十分に低減して熱対策の簡略化を図ったものとはいえなかった。
【００３１】
本発明は、上述した従来のフラットディスプレイパネルが有する課題に鑑み、駆動の低消費電力化並びにこれに対応した回路部品の小型化および低価格化を可能とするフラットディスプレイ装置およびその駆動方法の提供を目的とする。
【課題を解決するための手段】
【００３２】
本発明の第１の形態によれば、互いに交差する走査電極およびアドレス電極により少なくとも表示電極の一部が構成されたフラットディスプレイパネルと、前記走査電極に接続され該走査電極に対する駆動電圧波形を供給する走査ドライバと、前記アドレス電極に接続され該アドレス電極に対する駆動電圧波形を供給するアドレスドライバと、前記走査ドライバおよび前記アドレスドライバを含む前記フラットディスプレイパネルの駆動回路の動作を制御する制御回路と、を有するフラットディスプレイ装置であって、前記走査ドライバまたは前記アドレスドライバに対する駆動負荷量を検出する駆動負荷検出手段と、前記検出された駆動負荷量に基づいて、前記走査電極の駆動電圧または前記アドレス電極の駆動電圧を変更する駆動電圧変更手段を有することを特徴とするフラットディスプレイ装置が提供される。
【００３３】
本発明の第２の形態によれば、互いに交差する走査電極およびアドレス電極により少なくとも表示電極の一部が構成されたフラットディスプレイパネルと、前記走査電極に接続され該走査電極に対する駆動電圧波形を供給する走査ドライバと、前記アドレス電極に接続され該アドレス電極に対する駆動電圧波形を供給するアドレスドライバと、前記走査ドライバおよび前記アドレスドライバを含む前記フラットディスプレイパネルの駆動回路の動作を制御する制御回路と、を有するフラットディスプレイ装置であって、前記フラットディスプレイパネルの温度を検出するパネル温度検出手段と、前記検出されたフラットディスプレイパネルの温度に基づいて、前記走査電極の駆動電圧または前記アドレス電極の駆動電圧を変更する駆動電圧変更手段を有することを特徴とするフラットディスプレイ装置が提供される。
【００３４】
本発明の第３の形態によれば、互いに交差する走査電極およびアドレス電極と、該走査電極に平行に配置された維持電極を構成する共通電極とにより少なくとも表示電極の一部が構成されたフラットディスプレイパネルと、前記走査電極に接続され該走査電極に対する駆動電圧波形を供給する走査ドライバと、前記アドレス電極に接続され該アドレス電極に対する駆動電圧波形を供給するアドレスドライバと、前記共通電極に接続され該共通電極に対する駆動電圧波形を供給する共通電極ドライバと、前記走査ドライバ、前記アドレスドライバおよび前記共通電極ドライバを含む前記フラットディスプレイパネルの駆動回路の動作を制御する制御回路と、を有するフラットディスプレイ装置であって、前記走査ドライバ、前記アドレスドライバまたは前記共通電極ドライバに対する駆動負荷量を検出する駆動負荷検出手段と、前記検出された駆動負荷量に基づいて、前記走査電極の駆動電圧、前記アドレス電極の駆動電圧または前記共通電極ドライバの駆動電圧を変更する駆動電圧変更手段を有することを特徴とするフラットディスプレイ装置が提供される。
【００３５】
本発明の第４の形態によれば、互いに交差する走査電極およびアドレス電極と、該走査電極に平行に配置された維持電極を構成する共通電極とにより少なくとも表示電極の一部が構成されたフラットディスプレイパネルと、前記走査電極に接続され該走査電極に対する駆動電圧波形を供給する走査ドライバと、前記アドレス電極に接続され該アドレス電極に対する駆動電圧波形を供給するアドレスドライバと、前記共通電極に接続され該共通電極に対する駆動電圧波形を供給する共通電極ドライバと、前記走査ドライバ、前記アドレスドライバおよび前記共通電極ドライバを含む前記フラットディスプレイパネルの駆動回路の動作を制御する制御回路と、を有するフラットディスプレイ装置であって、前記フラットディスプレイパネルの温度を検出するパネル温度検出手段と、前記検出されたフラットディスプレイパネルの温度に基づいて、前記走査電極の駆動電圧、前記アドレス電極の駆動電圧または前記共通電極ドライバの駆動電圧を変更する駆動電圧変更手段を有することを特徴とするフラットディスプレイ装置が提供される。
【００３６】
本発明の第５の形態によれば、互いに交差する走査電極およびアドレス電極により少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、前記フラットディスプレイパネルの駆動負荷量が大きくなると、前記走査電極の駆動電圧または前記アドレス電極の駆動電圧を低下させるようにしたことを特徴とするフラットディスプレイ装置の駆動方法が提供される。
【００３７】
本発明の第６の形態によれば、互いに交差する走査電極およびアドレス電極により少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、前記フラットディスプレイパネルの温度が高くなると、前記走査電極の駆動電圧または前記アドレス電極の駆動電圧を低下させるようにしたことを特徴とするフラットディスプレイ装置の駆動方法が提供される。
【００３８】
本発明の第７の形態によれば、互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、前記フラットディスプレイパネルの駆動負荷量が大きくなると、前記走査電極の駆動電圧、前記アドレス電極の駆動電圧または前記共通電極の駆動電圧を低下させるようにしたことを特徴とするフラットディスプレイ装置の駆動方法が提供される。
【００３９】
本発明の第８の形態によれば、互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、前記フラットディスプレイパネルの温度が高くなると、前記走査電極の駆動電圧、前記アドレス電極の駆動電圧または前記共通電極の駆動電圧を低下させるようにしたことを特徴とするフラットディスプレイ装置の駆動方法が提供される。
【発明の効果】
【００４０】
本発明によれば、駆動の低消費電力化並びにこれに対応した回路部品の小型化、放熱構造の簡素化および低価格化を可能とするフラットディスプレイ装置およびその駆動方法を提供することができる。
【発明を実施するための最良の形態】
【００４１】
図７は本発明に係るフラットディスプレイ装置の一例としての３電極面放電交流駆動型プラズマディスプレイ装置を模式的に示すブロック図である。
図７と前述した図１との比較から明らかなように、本発明に係るフラットディスプレイ装置の一例としての３電極面放電交流駆動型プラズマディスプレイ装置では、図１に示す従来のプラズマディスプレイ装置に対して、さらに、温度センサ１０１，３０１，４０１および５０１、並びに、電流センサ３０２，５０２および６０１を設け、後に詳述するような処理を行うようになっている。なお、他の構成は図１を参照して説明したプラズマディスプレイ装置と同様なので、その説明は省略する。
【００４２】
すなわち、図７に示されるように、プラズマディスプレイパネル１に対して温度センサ１０１を取り付け、測定されたパネルの温度情報を制御回路２へ出力するようになっている。また、アドレスドライバ（アドレスドライバ用ＩＣ）３には温度センサ３０１が設けられ該アドレスドライバ用ＩＣの温度を測定して制御回路２へ測定された温度情報を出力すると共に、アドレスドライバ３の消費電流を測定して制御回路２へ出力する電流センサ３０２が設けられている。さらに、走査ドライバ（走査ドライバ用ＩＣ）４には温度センサ４０１が設けられ該走査ドライバ用ＩＣの温度を測定して制御回路２へ測定された温度情報を出力し、Ｙ共通ドライバ６に対しては、Ｙ共通ドライバ６の消費電流を測定して制御回路２へ出力する電流センサ６０１が設けられている。そして、Ｘ共通ドライバ（Ｘ共通ドライバ用回路）５には温度センサ５０１が設けられ該Ｘ共通ドライバ用回路の温度を測定して制御回路２へ測定された温度情報を出力すると共に、Ｘ共通ドライバ５の消費電流を測定して制御回路２へ出力する電流センサ５０２が設けられている。
【００４３】
ここで、走査ドライバ４に対して温度センサを設けて電流センサを設けないのは、電流は主として維持放電を行うＹ共通ドライバ６で消費され、また、温度の上昇は主として走査ドライバ４で生じるためである。もちろん、全てのドライバ（ドライバ用ＩＣ）に対して温度センサおよび電流センサの両方を設けることもできるが、逆に、電流センサを設けずに温度センサだけを設けたり、或いは、特定のドライバ用ＩＣ（例えば、アドレスドライバ用ＩＣ）に対してのみ温度センサを設けるというように必要に応じて様々に変形することができる。
【００４４】
このような各ドライバに設けた温度センサおよび電流センサにより測定されたデータ（温度情報および電流情報）は制御回路２へ供給され、そこで上記測定データからドライバの駆動負荷量を算出するようになっている。なお、駆動負荷量は、実際の表示画像データ（ＤＡＴＡ）から直接求めることもできる。また、プラズマディスプレイパネル１の温度は、例えば、パネル背面の金属板に取り付けられた温度センサ１０１により測定され、このパネルの温度情報が制御回路２へ供給される。
【００４５】
そして、以下に説明するように、パネル温度が高くなると低い駆動電圧で駆動し（放電させ）、また、表示率が高くなると低い駆動電圧で駆動する（放電させる）といった制御を行うことになる。
【００４６】
図８は本発明に係るフラットディスプレイ装置の一例としてのプラズマディスプレイ装置におけるパネル温度および表示率と駆動電圧との関係を示す図である。
図８に示されるように、パネル温度が低く且つ表示率も低い状態Ｓ１、パネル温度が高く且つ表示率も低い状態Ｓ２、パネル温度が低く且つ表示率が高い状態Ｓ３およびパネル温度が高く且つ表示率も高い状態Ｓ４の間には、パネル温度が高くなると低い駆動電圧で駆動する（放電させる）ことができ、また、表示率が高くなると低い駆動電圧で駆動する（放電させる）ことができるという関係が存在する。
【００４７】
すなわち、例えば、プラズマディスプレイパネルは、図５を参照して説明したように、交互に極性が逆転される高圧の駆動パルスにより駆動され、この時、各表示セル内に封入された希ガスの放電発光現象を利用している。そのため、パネル自身の温度によりその駆動電圧の最適値は影響を受けることになる。すなわち、パネルの温度が高い程、希ガスの活性エネルギーは高くなって放電し易くなり従って駆動電圧は低くなり、逆に、温度が低い程、活性エネルギーは低くなって放電し難くなり従って駆動電圧は高くなる傾向がある。
【００４８】
また、駆動電圧の最適値は、プラズマディスプレイパネル内に点灯表示されるセルの数、すなわち、全セル数に対する放電発光セル数の割合（表示率）にも影響を受け、表示率が高い程、放電ガス空間内に存在する電子やイオンの量が多くなって放電し易くなるため駆動電圧は低くなり、逆に、表示率が低い程、放電ガス空間内に存在する電子やイオンの量は少なくなり放電し難くなるため駆動電圧は高くなる傾向がある。
【００４９】
図８と前述した図６との比較から明らかなように、本発明のプラズマディスプレイ装置（フラットディスプレイ装置）において、駆動パルス（アドレスパルス、走査パルス、共通電極側維持パルスおよびリセットパルス等）の駆動電圧は、前述した状態Ｓ１〜Ｓ４において固定の電圧とするのではなく、パネル温度が高くなると低い駆動電圧で駆動し、また、表示率が高くなると低い駆動電圧で駆動するといった制御を行う。
【００５０】
すなわち、図８に示されるように、パネルの全てのセルに対して正常な表示を保持できる最適駆動電圧は、最小駆動電圧（Ｖｄｍｉｎ）と最大駆動電圧（Ｖｄｍａｘ）との間の電圧で示され、この両電圧ともパネル温度と表示率の組み合わせの状態Ｓ１〜Ｓ４に応じて右下がりの傾向で示される。なお、図８において、実際のパネル温度（パネル温度の『低』と『高』の温度の違い）および表示率（表示率の『低』と『高』の割合の違い）によっては状態Ｓ２およびＳ３が逆転することがあるのは前述した通りである。
【００５１】
図６と図８との比較から明らかなように、従来のフラットディスプレイ装置では、駆動パルスの電圧（駆動電圧）を状態Ｓ１〜Ｓ４の全てを満足する固定の電圧に設定していたのに対して、本発明のフラットディスプレイ装置では、各状態Ｓ１〜Ｓ４に応じて各状態の最小駆動電圧以上で最大駆動電圧以下の範囲内の適切な電圧に設定するようになっている。すなわち、駆動電圧を、パネル温度と表示率の組み合わせからなるそれぞれの状態をセンサにより検出し、それぞれの状態に合わせた最適な駆動パルスに適宜切り替えて設定する。さらに、各状態の最小駆動電圧に近い値に各々設定することにより、全体としての駆動電力の低減を実現することが可能になる。このことは、例えば、従来必要であったアドレスドライバ用ＩＣの放熱器を小さくしたり、或いは、不要とすることも可能とする。
【００５２】
以下、本発明に係るフラットディスプレイ装置およびその駆動方法の実施例を、添付図面を参照して詳述する。
【実施例】
【００５３】
図９は本発明に係るフラットディスプレイ装置の第１実施例を説明するための図である。本第１実施例のフラットディスプレイ装置は、アドレス期間において、選択セルに対する書き込みを行うためのアドレス電極へのアドレスパルスと走査電極への走査パルスとの合成パルスとして印加される書き込みパルスに対して適用したものである。
図９に示されるように、本第１実施例のフラットディスプレイ装置（プラズマディスプレイ装置）において、走査パルスの電圧（駆動電圧）Ｖｙを状態Ｓ４（最も低い駆動電圧の状態）の最小書き込み電圧Ｖｗｍｉｎよりも小さく、且つ、なるべく高い電圧に設定すると共に、この走査パルスの電圧Ｖｙにアドレスパルスの電圧Ｖａを加算した全体の書き込みパルスの電圧Ｖｗが、状態Ｓ１〜Ｓ４の最小書き込み電圧Ｖｗｍｉｎよりも高く、且つ、なるべく低い電圧に設定することにより、書き込みパルスの電圧Ｖｗを状態Ｓ１〜Ｓ４に合わせて変化させるようになっている。
【００５４】
ここで、各状態Ｓ１〜Ｓ４は、パネル温度に関しては、例えば、サーミスタ等の温度検出素子（例えば、図７の温度センサ１０１）をパネル背面の任意の位置に配置して直接検出するか、或いは、パネル背面に並行配置されている回路基板上に複数の温度検出素子を適宜分散配置することにより間接的に検出することができる。なお、温度センサは、例えば、熱の伝導や対流等を考慮してパネル背面の金属板の上方に取り付けることができる。
【００５５】
また、表示率に関しては、入力される表示画像データのデータ数をカウントして直接検出するか、維持電源電圧から供給される維持電流値による検出（例えば、図７の電流センサ５０１，６０１）またはアドレスドライバ用ＩＣ（アドレスドライバ）の消費電流の検出（例えば、図７の電流センサ３０２）、或いは、アドレスドライバ用ＩＣ、走査ドライバ用ＩＣおよび共通維持電極駆動回路（Ｘ共通ドライバ用回路）の駆動素子等の温度をモニターしておき（例えば、図７の温度センサ３０１，４０１，５０１）、この温度上昇値により駆動負荷量として間接的に検出することができる。
【００５６】
以上のようにして求めたパネル温度および表示率に従って、パネル駆動中における状態Ｓ１〜Ｓ４を割り出し、各状態に合わせるようにアドレスパルスの電圧Ｖａを可変設定する。なお、実際に設定する状態としては、パネル温度および表示率を組み合わせてより多くの状態に対する制御を行うことができるのはいうまでもない。また、検出系や制御回路の簡素化を図るために、必要に応じてパネル温度または表示率のいずれか一方のみを使用しても所定の目的を達せられるのはもちろんである。
【００５７】
このように、本第１実施例のフラットディスプレイ装置によれば、アドレス駆動電源の低消費電力化と共に、アドレスドライバ用ＩＣでの消費電力を低減させることができ、この部分の実装構造における放熱形態の簡素化が可能になり小型化や低コスト化を図ることができる。
【００５８】
図１０は本発明に係るフラットディスプレイ装置の第２実施例を説明するための図である。
図１０に示されるように、本第２実施例のフラットディスプレイ装置は、上述した第１実施例と同様に、本発明を書き込みパルスに適用したものであるが、走査パルス側の電圧Ｖｙを可変するようにしたものである。本第２実施例は、例えば、アドレスドライバ用ＩＣ側の駆動負荷量と走査ドライバ用ＩＣ側の駆動負荷量のモニター値を比較し、走査ドライバ用ＩＣ側の駆動負荷量がより大きい値に検出される場合に適用するのが好ましい。或いは、アドレスドライバ用ＩＣ側の実装構造における放熱形態の簡素化よりも、走査ドライバ用ＩＣ側の放熱形態の簡素化を優先する場合に好ましいものである。
【００５９】
図１１は本発明に係るフラットディスプレイ装置の第３実施例を説明するための図である。なお、図１１では、便宜上、状態Ｓ２およびＳ３を１つの状態として描いている。
図１１に示されるように、本第３実施例のフラットディスプレイ装置は、上述した第２実施例とほぼ同等であるが、走査パルスの出力方法として、ＧＮＤレベル（接地電圧）から出力するのではなく、共通基準電圧−Ｖｙｂに走査パルスＶｙを重畳するように出力する。すなわち、状態Ｓ２（Ｓ３）では、共通基準電圧−ＶｙｂのＧＮＤレベルからの電位差を小さく（Ｖ０１）とし、状態Ｓ１では、共通基準電圧−ＶｙｂのＧＮＤレベルからの電位差を大きく（Ｖ０２）し、走査パルスの電圧の変化を共通基準電圧−Ｖｙｂにより行うようになっている。
【００６０】
本第３実施例のフラットディスプレイ装置によれば、上述した第２実施例の効果に加え、走査ドライバ用ＩＣの耐圧に限界がある場合や走査ドライバ用ＩＣの耐圧以上のパルスを出力する場合に有効である。
【００６１】
図１２は本発明に係るフラットディスプレイ装置の第４実施例を説明するための図である。
図１２に示されるように、本第４実施例のフラットディスプレイ装置では、前述した状態Ｓ１〜Ｓ４に対応して変化させた書き込みパルスの電圧を、アドレスドライバ用ＩＣと走査ドライバ用ＩＣとの駆動負荷量の比較において、どちらの駆動負荷量を優先させて低減させるか等によって振り分けるものである。
【００６２】
本第４実施例のフラットディスプレイ装置は、アドレスドライバ側と走査ドライバ側で書き込みパルスの電圧Ｖｗの大きさ自体を変化しないように振り分ける場合を示している。
まず、走査ドライバ用ＩＣおよびアドレスドライバ用ＩＣの駆動負荷量がほぼ同等の場合、これをノーマル状態とし、このノーマル状態では一般的にはアドレス電圧Ｖａを低めに設定すると共に、走査電圧Ｖｙを高めに設定する。この理由は、通常の一般的な表示絵柄において、走査電極側の駆動は１画面の走査の間に１回のみ行われるのに対し、アドレス側の駆動は複数の走査電極に対する走査駆動に対応して複数回行われることになるため、アドレス側の駆動周波数の方が高く、消費電力も大きくなる傾向にある。そこで、アドレスドライバ側と走査ドライバ側の消費電力のバランスをとる必要性から、アドレス電圧Ｖａは低めに設定し、且つ、走査電圧Ｖｙは高めに設定するようにしている。なお、図１２は模式的に示したもので、以上のような電圧の違いは無視して描かれている。
【００６３】
このようなノーマル状態から、走査ドライバ用ＩＣの駆動負荷量が相対的に大きくなった場合には、走査電圧−Ｖｙを低くして、その分、アドレス電圧Ｖａを高くする。
また、ノーマル状態から、アドレスドライバ用ＩＣの駆動負荷量が相対的に大きくなった場合には、アドレス電圧Ｖａを低くして、その分、走査電圧−Ｖｙを高くする。
【００６４】
本第４実施例のフラットディスプレイ装置によれば、アドレスドライバ用ＩＣと走査ドライバ用ＩＣの各々の実装構造における放熱設計に対し、偏りのないバランスのとれた設計が可能になる。
【００６５】
図１３は本発明に係るフラットディスプレイ装置の第５実施例を説明するための図である。
図１３に示されるように、本第５実施例のフラットディスプレイ装置では、上述した第４実施例に対して図１１を参照して説明した第３実施例の走査パルスの重畳を適用したものであり、各々のメリットを同時に実現することができる。
【００６６】
図１４および図１５は本発明に係るフラットディスプレイ装置の第６実施例を説明するための図である。なお、図１５では、便宜上、状態Ｓ２およびＳ３を１つの状態として描いている。
図１４および図１５に示されるように、本第６実施例のフラットディスプレイ装置は、本発明を維持パルスに適用したものである。前述したように、パネル温度および表示率から状態Ｓ１〜Ｓ４を検出し、この検出された状態Ｓ１〜Ｓ４に従って走査電極側の維持パルスの電圧Ｖｓｙを可変する。
【００６７】
本第６実施例のフラットディスプレイ装置によれば、走査ドライバ用ＩＣ側の実装構造における放熱形態の簡素化を実現することが可能になる。
図１６は本発明に係るフラットディスプレイ装置の第７実施例を説明するための図である。
図１６に示されるように、本第７実施例のフラットディスプレイ装置は、上述した第６実施例に対して図１２を参照して説明した第４実施例を適用し、走査ドライバ用ＩＣ側と共通維持電極駆動回路（Ｘ共通ドライバ用回路）側との駆動負荷量の比較において、どちらの駆動負荷量を優先させて低減させるかにより制御するものであり、維持パルスの電圧Ｖｓ自体は大きくは変動させないようにしている。
【００６８】
本第７実施例のフラットディスプレイ装置によれば、走査ドライバ用ＩＣのみならず、共通維持電極駆動回路（Ｘ共通ドライバ用回路）の実装構造をもバランスさせたトータルとしての最適な設計が可能になる。
【００６９】
図１７は本発明に係るフラットディスプレイ装置の一例としてのプラズマディスプレイ装置におけるパネル温度および表示率と駆動電圧およびパルス幅との関係を示す図である。
図１７は、図８を参照して説明したプラズマディスプレイ装置におけるパネル温度および表示率と駆動電圧との関係に加え、駆動電圧（駆動パルス）のパルス幅も可変させるように組み合わせたものである。
【００７０】
すなわち、駆動パルスのパルス幅を広く設定することにより、表示画素（セル）のガス放電の放電遅れ時間が長くなっても駆動することが可能になるため、状態Ｓ１からＳ４への変化に伴って駆動電圧を低くすると共にパルス幅を広く変化させることにより、図８を参照して説明した場合よりもさらに駆動電圧を低く設定することが可能になる。
【００７１】
図１８は本発明に係るフラットディスプレイ装置の第８実施例を説明するための図である。
図１８に示すフラットディスプレイ装置の第８実施例は、上述したアドレスドライバ用ＩＣの駆動負荷量の大きさ（小、中、大）またはパネル温度／表示率の状態Ｓ１〜Ｓ４により、駆動パルスのパルス幅も変化させる構成を書き込みパルス（Ｖｗ）のアドレスパルス（Ｖａ）に適用したものである。なお、この場合、図１８に示されるように、一定の電圧とされた走査パルスのパルス幅もアドレスパルスの可変されたパルス幅に対応して変化させて、選択された走査ライン（Ｙ電極）の各セルに対するアドレス放電（書き込み放電）を行わせる必要がある。
【００７２】
図１９は本発明に係るフラットディスプレイ装置の第９実施例を説明するための図である。
図１９に示すフラットディスプレイ装置の第９実施例は、上述した走査ドライバ用ＩＣの駆動負荷量の大きさ（小、中、大）またはパネル温度／表示率の状態Ｓ１〜Ｓ４により、駆動パルスのパルス幅も変化させる構成を書き込みパルス（Ｖｗ）の走査パルス（−Ｖｙ）に適用したものである。なお、この場合、図１９に示されるように、一定の電圧とされたアドレスパルスのパルス幅も走査パルスの可変されたパルス幅に対応して変化させて、選択された走査ラインの各セルに対するアドレス放電を行わせる必要がある。
【００７３】
図２０は本発明に係るフラットディスプレイ装置の第１０実施例を説明するための図である。
図２０に示されるように、本第１０実施例のフラットディスプレイ装置において、合成の書き込み電圧値はほぼ一定か若干低めに保った状態で、アドレスパルスの電圧Ｖａの大きさに従ってアドレスパルスおよび走査パルスのパルス幅を同時に変化させるようにしたものである。
【００７４】
本第１０実施例のフラットディスプレイ装置によれば、アドレスパルスの電圧Ｖａを集中させてより確実に下げられるという効果がある。
【００７５】
図２１は本発明に係るフラットディスプレイ装置の第１１実施例を説明するための図であり、上述した第８実施例〜第１０実施例で説明した書き込みパルスの波形を実際に適用する場合の駆動波形全体を示すものである。
【００７６】
図２１に示されるように、本第１１実施例のフラットディスプレイ装置は、走査ドライバ用ＩＣおよびアドレスドライバ用ＩＣの駆動負荷量の状態により書き込みパルスのパルス幅を変化させると、アドレス期間（ＴＡ）の長さが変わるため、その分をサステイン期間（ＴＳ）の維持パルス幅を変化させることにより吸収し、全体の１フレーム（１フィ−ルド）当たりの時間を変えないようにするものである。
【００７７】
図２２は本発明に係るフラットディスプレイ装置の第１２実施例を説明するための図である。
図２２に示されるように、本第１２実施例のフラットディスプレイ装置は、上述した第１１実施例のフラットディスプレイ装置では維持パルス幅を単純に変化させるだけであるのに対し、この維持パルスに図１７を参照して説明した構成を適用するもので、維持パルスのパルス幅に対応させて維持パルスの電圧を逆比例の関係で変化させるものである。
【００７８】
本第１２実施例のフラットディスプレイ装置によれば、維持パルスを含めてより確実な対応を可能とすることができる。
【００７９】
図２３は本発明に係るフラットディスプレイ装置の第１３実施例を説明するための図である。
図２３に示されるように、本第１３実施例のフラットディスプレイ装置は、各放電セルの壁電荷量を初期化するためのリセット期間ＴＲにおける動作として、アドレスドライバ用ＩＣ側の駆動負荷量に合わせて初期の壁電荷量を制御するようにしたものである。
【００８０】
すなわち、本第１３実施例のフラットディスプレイ装置は、アドレスドライバ用ＩＣの駆動負荷量が大きくなった時またはパネル温度／表示率の状態がＳ４側に移行した時にはリセットパルスの電圧を高くすることにより初期壁電荷量を多く生成し、逆に、アドレスドライバ用ＩＣの駆動負荷量が小さくなった時またはパネル温度／表示率の状態がＳ１側に移行した時にはリセットパルスの電圧を低くすることにより初期壁電荷量を少なく生成するようになっている。
【００８１】
このように、リセット期間ＴＲにおいて、アドレスドライバ用ＩＣの駆動負荷量が大きくなった時またはパネル温度／表示率の状態がＳ４側に移行した時にリセットパルスの電圧を高くして初期壁電荷量を多く生成することにより、次のアドレス期間ＴＡでの書き込み放電が発生し易くなるようにして書き込みパルスの電圧を等価的に低く設定する。そして、アドレスドライバ用ＩＣの駆動負荷量が大きくなった時またはパネル温度／表示率の状態がＳ４側に移行した時に上記の動作を行うことにより、アドレスパルスの電圧を低く設定することを可能する。
【００８２】
なお、初期壁電荷量を制御する方法としては、リセットパルスの電圧以外にリセットパルスのパルス幅を制御する方法もあり、パルス幅を広くすることによっても初期壁電荷量を多く生成することができる。
【００８３】
図２４は本発明に係るフラットディスプレイ装置の第１４実施例を説明するための図である。
図２４に示されるように、本第１４実施例のフラットディスプレイ装置は、上述した第１３実施例に対して、さらに、書き込みパルスのパルス幅をも変化させるようにしたものであり、アドレスドライバ用ＩＣの駆動負荷量が大きくなった時またはパネル温度／表示率の状態がＳ４側に移行した時にリセットパルスの電圧を高めて初期壁電荷量を多く生成すると共に、書き込みパルスの電圧を低く変化させると同時にパルス幅をも広く変化させるようになっている。なお、図２４では、一例としてアドレスパルスの電圧とパルス幅を変化させる場合について示しているが、他の駆動パルスに関しても同様である。そして、本第１４実施例のフラットディスプレイ装置によれば、より確実で安定した動作が可能になる。
【００８４】
図２５〜図２７は本発明に係るフラットディスプレイ装置の第１５実施例を説明するための図であり、図８を参照して説明したようなパネル温度および表示率の状態により駆動電圧を制御すると共に、図１７を参照して説明したようなパネル温度および表示率の状態により駆動電圧のパルス幅も制御し、さらに、上述したようなリセットパルスによる初期壁電荷量の制御を総合的に全て適用した駆動波形例を示すものである。
【００８５】
すなわち、本第１５実施例のフラットディスプレイ装置は、アドレスドライバ用ＩＣ側と走査ドライバ用ＩＣ側の駆動負荷量を求めてそれらを比較し、この比較結果に基づいて、以下のように駆動波形を制御する。
まず、アドレスドライバ用ＩＣと走査ドライバ用ＩＣの駆動負荷量が同等の場合、図２６に示されるように、リセットパルス、書き込みパルスおよび維持パルス等全ての駆動パルスの電圧およびパルス幅をバランスのとれた平均的な値に設定する。ただし、前に、図１２を参照して第４実施例で説明したように、書き込みパルスについてはアドレス電圧Ｖａよりも走査電圧Ｖｙの方が高くなるように設定する。なお、図２６は模式的に示したもので、このような電圧の違いは無視して描かれている。
【００８６】
上記の平均的な状態から、走査ドライバ用ＩＣの駆動負荷量の方がアドレスドライバ用ＩＣの駆動負荷量よりも相対的に大きくなった場合、図２５に示されるように、走査側（Ｙ電極側）および共通電極側（Ｘ電極側）の維持パルスの電圧を低くすると共にパルス幅を広くするように変化させる。この時、アドレス期間が短縮されるため、書き込みパルスのパルス幅を狭くすると共に電圧を高くする。図２５では、アドレスパルスの電圧を高くしている。なお、リセットパルスについては、書き込み電圧が高いので初期壁電荷量を少なめにするためにリセット電圧を低くするように変化させる。
【００８７】
次に、上記の平均的な状態から、アドレスドライバ用ＩＣの駆動負荷量の方が走査ドライバ用ＩＣの駆動負荷量よりも相対的に大きくなった場合、図２７に示されるように、アドレスパルスの電圧を低くすると共にパルス幅を広くする。この時、サステイン期間が短縮されるため、走査電極側および共通電極側とも維持パルスのパルス幅を狭くすると共に電圧を高くするように変化させる。図２７では、維持パルスの電圧を高くしている。なお、リセットパルスについては、アドレスパルスの電圧が低いので初期壁電荷量は多めにするためにリセット電圧を高くするように変化させる。
【００８８】
本第１５実施例のフラットディスプレイ装置によれば、アドレスドライバ用ＩＣ側および走査ドライバ用ＩＣとも過大な負荷に対応させることなく平均的な負荷に対応させた設計での構成が可能になり装置全体としての小型化および低コスト化を達成することが可能になる。
【００８９】
以上の各実施例の説明は、主として３電極面放電交流駆動型プラズマディスプレイ装置を例として詳述したが、本発明は、同じガス放電を利用した２電極交流駆動型プラズマディスプレイ装置に対してはもちろん、データ表示率の増加およびパネル温度の上昇に伴ってパネルの駆動電圧が低くなる特性を有するようなフラットディスプレイ装置に対しても幅広く適用することができる。特に、本発明は、自発光型で比較的消費電力の大きいフラットディスプレイ装置に適用した場合に大きな効果を発揮するものである。
【００９０】
上述したように、本発明によれば、フラットディスプレイパネルの各表示電極を駆動する駆動回路（ドライバＩＣ）における消費電力の低減を図ると共に、各駆動回路間の消費電力の平均化を実現することができ、各駆動回路部に対する設計、特に、放熱設計等の簡素化を可能とし、装置全体の小型化および低価格化を実現することができる。
【００９１】
（付記１）  互いに交差する走査電極およびアドレス電極により少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記走査ドライバおよび前記アドレスドライバを含む前記フラットディスプレイパネルの駆動回路の動作を制御する制御回路と、を有するフラットディスプレイ装置であって、
前記走査ドライバまたは前記アドレスドライバに対する駆動負荷量を検出する駆動負荷検出手段と、
前記検出された駆動負荷量に基づいて、前記走査電極の駆動電圧または前記アドレス電極の駆動電圧を変更する駆動電圧変更手段を有することを特徴とするフラットディスプレイ装置。
【００９２】
（付記２）  付記１に記載のフラットディスプレイ装置において、
前記駆動負荷検出手段は、前記フラットディスプレイパネルのデータ表示率に応じて前記走査ドライバまたは前記アドレスドライバに対する駆動負荷量を検出することを特徴とするフラットディスプレイ装置。
【００９３】
（付記３）  付記１に記載のフラットディスプレイ装置において、
前記走査ドライバは走査ドライバ用ＩＣとして構成され、且つ、前記アドレスドライバはアドレスドライバ用ＩＣとして構成され、
前記駆動負荷検出手段は、前記走査ドライバ用ＩＣまたは前記アドレスドライバ用ＩＣの温度を検出する温度センサを有し、該検出された前記走査ドライバ用ＩＣまたは前記アドレスドライバ用ＩＣの温度から前記走査ドライバまたは前記アドレスドライバに対する駆動負荷量を検出することを特徴とするフラットディスプレイ装置。
【００９４】
（付記４）  付記１に記載のフラットディスプレイ装置において、
前記アドレスドライバはアドレスドライバ用ＩＣとして構成され、
前記駆動負荷検出手段は、前記アドレスドライバ用ＩＣの電流を検出する電流センサを有し、該検出された前記アドレスドライバ用ＩＣの電流から前記アドレスドライバに対する駆動負荷量を検出することを特徴とするフラットディスプレイ装置。
【００９５】
（付記５）  付記１に記載のフラットディスプレイ装置において、
該フラットディスプレイ装置は、前記フラットディスプレイパネルのデータ表示率が大きくなると放電ガスの活性化エネルギーが高くなって駆動電圧が低くなる特性を有し、且つ、
前記駆動電圧変更手段は、前記検出された駆動負荷量が大きくなると、前記走査電極の駆動電圧または前記アドレス電極の駆動電圧を低下させることを特徴とするフラットディスプレイ装置。
【００９６】
（付記６）  互いに交差する走査電極およびアドレス電極により少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記走査ドライバおよび前記アドレスドライバを含む前記フラットディスプレイパネルの駆動回路の動作を制御する制御回路と、を有するフラットディスプレイ装置であって、
前記フラットディスプレイパネルの温度を検出するパネル温度検出手段と、
前記検出されたフラットディスプレイパネルの温度に基づいて、前記走査電極の駆動電圧または前記アドレス電極の駆動電圧を変更する駆動電圧変更手段を有することを特徴とするフラットディスプレイ装置。
【００９７】
（付記７）  付記６に記載のフラットディスプレイ装置において、
該フラットディスプレイ装置は、前記フラットディスプレイパネルの温度が高くなると放電ガスの活性化エネルギーが高くなって駆動電圧が低くなる特性を有し、且つ、
前記駆動電圧変更手段は、前記検出されたフラットディスプレイパネルの温度が高くなると、前記走査電極の駆動電圧または前記アドレス電極の駆動電圧を低下させることを特徴とするフラットディスプレイ装置。
【００９８】
（付記８）  付記１または６に記載のフラットディスプレイ装置において、さらに、
前記走査電極の駆動電圧と前記アドレス電極の駆動電圧との合成電圧の絶対値をほぼ一定値を保つようにして該走査電極および該アドレス電極への印加電圧の割合を変更する印加電圧割合変更手段を備えることを特徴とするフラットディスプレイ装置。
【００９９】
（付記９）  付記１または６に記載のフラットディスプレイ装置において、さらに、
前記走査電極または前記アドレス電極の各駆動電圧に応じて、該走査電極または該アドレス電極の各駆動時間幅を変更する駆動時間幅変更手段を備えることを特徴とするフラットディスプレイ装置。
【０１００】
（付記１０）  付記９に記載のフラットディスプレイ装置において、さらに、
前記走査電極の駆動電圧と駆動時間幅との関係または前記アドレス電極の駆動電圧と駆動時間幅との関係を逆比例の関係で変更する電圧時間幅変更手段を備えることを特徴とするフラットディスプレイ装置。
【０１０１】
（付記１１）  付記１または６に記載のフラットディスプレイ装置において、
前記走査電極の駆動波形は、該走査電極上の表示画素を選択するための走査パルスと、表示画素を維持するための維持パルスと、表示画素を選択するに当り画面を初期化するためのリセットパルスとを含み、
前記アドレス電極の駆動波形は、該アドレス電極上の表示画素を選択するためのアドレスパルスを含み、そして、前記フラットディスプレイ装置は、さらに、
前記駆動負荷量または前記パネルの温度の検出値に基づいて、前記走査パルス、前記維持パルス、前記リセットパルスまたは前記アドレスパルスのいずれかの駆動電圧を変更するパルス電圧変更手段を備えることを特徴とするフラットディスプレイ装置。
【０１０２】
（付記１２）  付記１〜１１のいずれか１項に記載のフラットディスプレイ装置において、前記フラットディスプレイパネルは、プラズマディスプレイパネルであることを特徴とするフラットディスプレイ装置。
【０１０３】
（付記１３）  互いに交差する走査電極およびアドレス電極と、該走査電極に平行に配置された維持電極を構成する共通電極とにより少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記共通電極に接続され該共通電極に対する駆動電圧波形を供給する共通電極ドライバと、
前記走査ドライバ、前記アドレスドライバおよび前記共通電極ドライバを含む前記フラットディスプレイパネルの駆動回路の動作を制御する制御回路と、を有するフラットディスプレイ装置であって、
前記走査ドライバ、前記アドレスドライバまたは前記共通電極ドライバに対する駆動負荷量を検出する駆動負荷検出手段と、
前記検出された駆動負荷量に基づいて、前記走査電極の駆動電圧、前記アドレス電極の駆動電圧または前記共通電極ドライバの駆動電圧を変更する駆動電圧変更手段を有することを特徴とするフラットディスプレイ装置。
【０１０４】
（付記１４）  付記１３に記載のフラットディスプレイ装置において、
前記駆動負荷検出手段は、前記フラットディスプレイパネルのデータ表示率に応じて前記走査ドライバ、前記アドレスドライバまたは前記共通電極ドライバに対する駆動負荷量を検出することを特徴とするフラットディスプレイ装置。
【０１０５】
（付記１５）  付記１３に記載のフラットディスプレイ装置において、
前記走査ドライバは走査ドライバ用ＩＣとして構成され、前記アドレスドライバはアドレスドライバ用ＩＣとして構成され、
前記駆動負荷検出手段は、前記走査ドライバ用ＩＣ、前記アドレスドライバ用ＩＣまたは前記共通電極ドライバ用ＩＣの温度を検出する温度センサを有し、該温度センサで検出された前記走査ドライバ用ＩＣ、前記アドレスドライバ用ＩＣまたは前記共通電極ドライバ用ＩＣの温度から前記走査ドライバ、前記アドレスドライバまたは前記共通電極ドライバに対する駆動負荷量を検出することを特徴とするフラットディスプレイ装置。
【０１０６】
（付記１６）  付記１３に記載のフラットディスプレイ装置において、
前記走査ドライバは該走査ドライバを介して前記走査電極を駆動するＸ共通ドライバを備え、前記共通ドライバは前記共通電極を駆動するＹ共通ドライバを備え、該Ｘ共通ドライバおよび該Ｙ共通ドライバにより維持放電を行うことを特徴とするフラットディスプレイ装置。
【０１０７】
（付記１７）  付記１６に記載のフラットディスプレイ装置において、
前記走査ドライバは走査ドライバ用ＩＣとして構成され、前記アドレスドライバはアドレスドライバ用ＩＣとして構成され、
前記駆動負荷検出手段は、前記走査ドライバ用ＩＣ、前記アドレスドライバ用ＩＣまたは前記共通電極ドライバ用ＩＣの電流を検出する電流センサを有し、該電流センサで検出された前記走査ドライバ用ＩＣ、前記アドレスドライバ用ＩＣまたは前記共通電極ドライバ用ＩＣの電流から前記走査ドライバ、前記アドレスドライバまたは前記共通電極ドライバに対する駆動負荷量を検出することを特徴とするフラットディスプレイ装置。
【０１０８】
（付記１８）  付記１３に記載のフラットディスプレイ装置において、
該フラットディスプレイ装置は、前記フラットディスプレイパネルのデータ表示率が大きくなると放電ガスの活性化エネルギーが高くなって駆動電圧が低くなる特性を有し、且つ、
前記駆動電圧変更手段は、前記検出された駆動負荷量が大きくなると、前記走査電極の駆動電圧、前記アドレス電極の駆動電圧または前記共通電極ドライバの駆動電圧を低下させることを特徴とするフラットディスプレイ装置。
【０１０９】
（付記１９）  互いに交差する走査電極およびアドレス電極と、該走査電極に平行に配置された維持電極を構成する共通電極とにより少なくとも表示電極の一部が構成されたフラットディスプレイパネルと、
前記走査電極に接続され該走査電極に対する駆動電圧波形を供給する走査ドライバと、
前記アドレス電極に接続され該アドレス電極に対する駆動電圧波形を供給するアドレスドライバと、
前記共通電極に接続され該共通電極に対する駆動電圧波形を供給する共通電極ドライバと、
前記走査ドライバ、前記アドレスドライバおよび前記共通電極ドライバを含む前記フラットディスプレイパネルの駆動回路の動作を制御する制御回路と、を有するフラットディスプレイ装置であって、
前記フラットディスプレイパネルの温度を検出するパネル温度検出手段と、
前記検出されたフラットディスプレイパネルの温度に基づいて、前記走査電極の駆動電圧、前記アドレス電極の駆動電圧または前記共通電極ドライバの駆動電圧を変更する駆動電圧変更手段を有することを特徴とするフラットディスプレイ装置。
【０１１０】
（付記２０）  付記１９に記載のフラットディスプレイ装置において、
該フラットディスプレイ装置は、前記フラットディスプレイパネルの温度が高くなると放電ガスの活性化エネルギーが高くなって駆動電圧が低くなる特性を有し、且つ、
前記駆動電圧変更手段は、前記検出されたフラットディスプレイパネルの温度が高くなると、前記走査電極の駆動電圧、前記アドレス電極の駆動電圧または前記共通電極ドライバの駆動電圧を低下させることを特徴とするフラットディスプレイ装置。
【０１１１】
（付記２１）  付記１３または１９に記載のフラットディスプレイ装置において、さらに、
前記走査電極、前記アドレス電極および前記共通電極の内、２つの電極の組み合わせに印加する駆動電圧の合成電圧の絶対値をほぼ一定値を保つようにして該２つの電極の組み合わせへの印加電圧の割合を変更する印加電圧割合変更手段を備えることを特徴とするフラットディスプレイ装置。
【０１１２】
（付記２２）  付記１３または１９に記載のフラットディスプレイ装置において、さらに、
前記走査電極、前記アドレス電極または前記共通電極の各駆動電圧に応じて、該走査電極、該アドレス電極または該共通電極の各駆動時間幅を変更する駆動時間幅変更手段を備えることを特徴とするフラットディスプレイ装置。
【０１１３】
（付記２３）  付記２２に記載のフラットディスプレイ装置において、さらに、
前記走査電極の駆動電圧と駆動時間幅との関係、前記アドレス電極の駆動電圧と駆動時間幅との関係、または、前記共通電極の駆動電圧と駆動時間幅との関係を逆比例の関係で変更する電圧時間幅変更手段を備えることを特徴とするフラットディスプレイ装置。
【０１１４】
（付記２４）  付記１３または１９に記載のフラットディスプレイ装置において、
前記走査電極の駆動波形は、該走査電極上の表示画素を選択するための走査パルスと、表示画素を維持するための走査電極側維持パルスと、表示画素を選択するに当り画面を初期化するための走査電極側リセットパルスとを含み、
前記アドレス電極の駆動波形は、該アドレス電極上の表示画素を選択するためのアドレスパルスを含み、そして、前記フラットディスプレイ装置は、さらに、
前記駆動負荷量または前記パネルの温度の検出値に基づいて、前記走査パルス、走査電極側維持パルス、走査電極側リセットパルス、アドレスパルス、共通電極側維持パルス、または、共通電極側リセットパルスのいずれかの駆動電圧を変更するパルス電圧変更手段を備えることを特徴とするフラットディスプレイ装置。
【０１１５】
（付記２５）  付記１３〜２４のいずれか１項に記載のフラットディスプレイ装置において、前記フラットディスプレイパネルは、３電極面放電交流駆動型プラズマディスプレイ装置であることを特徴とするフラットディスプレイ装置。
【０１１６】
（付記２６）  互いに交差する走査電極およびアドレス電極により少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、
前記フラットディスプレイパネルの駆動負荷量が大きくなると、前記走査電極の駆動電圧または前記アドレス電極の駆動電圧を低下させるようにしたことを特徴とするフラットディスプレイ装置の駆動方法。
【０１１７】
（付記２７）  付記２３に記載のフラットディスプレイ装置の駆動方法において、
前記フラットディスプレイパネルの駆動負荷量を、該フラットディスプレイパネルのデータ表示率により、若しくは、前記走査電極または前記アドレス電極を駆動するためのＩＣの温度、或いは、前記走査電極または前記アドレス電極を駆動するためのＩＣの電流を測定して求めるようにしたことを特徴とするフラットディスプレイ装置の駆動方法。
【０１１８】
（付記２８）  互いに交差する走査電極およびアドレス電極により少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、
前記フラットディスプレイパネルの温度が高くなると、前記走査電極の駆動電圧または前記アドレス電極の駆動電圧を低下させるようにしたことを特徴とするフラットディスプレイ装置の駆動方法。
【０１１９】
（付記２９）  付記２６または２８に記載のフラットディスプレイ装置の駆動方法において、
前記走査電極の駆動電圧と前記アドレス電極の駆動電圧との合成電圧の絶対値をほぼ一定値を保つようにして該走査電極および該アドレス電極への印加電圧の割合を変更するようにしたことを特徴とするフラットディスプレイ装置の駆動方法。
【０１２０】
（付記３０）  付記２６または２８に記載のフラットディスプレイ装置の駆動方法において、
前記走査電極の駆動電圧と駆動時間幅との関係または前記アドレス電極の駆動電圧と駆動時間幅との関係を逆比例の関係で変更するようにしたことを特徴とするフラットディスプレイ装置の駆動方法。
【０１２１】
（付記３１）  付記２６または２８に記載のフラットディスプレイ装置の駆動方法において、
前記走査電極の駆動波形は、該走査電極上の表示画素を選択するための走査パルスと、表示画素を維持するための維持パルスと、表示画素を選択するに当り画面を初期化するためのリセットパルスとを含み、
前記アドレス電極の駆動波形は、該アドレス電極上の表示画素を選択するためのアドレスパルスを含み、
前記駆動負荷量または前記パネルの温度の検出値に基づいて、前記走査パルス、前記維持パルス、前記リセットパルスまたは前記アドレスパルスのいずれかの駆動電圧を変更するようにしたことを特徴とするフラットディスプレイ装置の駆動方法。
【０１２２】
（付記３２）  付記２６〜３１のいずれか１項に記載のフラットディスプレイ装置の駆動方法において、前記フラットディスプレイパネルは、プラズマディスプレイパネルであることを特徴とするフラットディスプレイ装置の駆動方法。
【０１２３】
（付記３３）  互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの駆動負荷量が大きくなると放電ガスの活性化エネルギーが高くなって駆動電圧が低くなる特性を有するフラットディスプレイ装置の駆動方法であって、
前記フラットディスプレイパネルの駆動負荷量が大きくなると、前記走査電極の駆動電圧、前記アドレス電極の駆動電圧または前記共通電極の駆動電圧を低下させるようにしたことを特徴とするフラットディスプレイ装置の駆動方法。
【０１２４】
（付記３４）  付記３３に記載のフラットディスプレイ装置の駆動方法において、
前記フラットディスプレイパネルの駆動負荷量を、該フラットディスプレイパネルのデータ表示率により、若しくは、前記走査電極，前記アドレス電極または前記共通電極を駆動するためのＩＣの温度、或いは、該走査電極，該アドレス電極または該共通電極を駆動するためのＩＣの電流を測定して求めるようにしたことを特徴とするフラットディスプレイ装置の駆動方法。
【０１２５】
（付記３５）  互いに交差する走査電極およびアドレス電極と、該走査電極に平行に配置された維持電極を構成する共通電極とにより少なくとも表示電極の一部が構成されたフラットディスプレイパネルを備え、該フラットディスプレイパネルの温度が高くなると放電ガスの活性化エネルギーが高くなって駆動電圧が低くなる特性を有するフラットディスプレイ装置の駆動方法であって、
前記フラットディスプレイパネルの温度が高くなると、前記走査電極の駆動電圧、前記アドレス電極の駆動電圧または前記共通電極の駆動電圧を低下させるようにしたことを特徴とするフラットディスプレイ装置の駆動方法。
【０１２６】
（付記３６）  付記３３または３５に記載のフラットディスプレイ装置の駆動方法において、
前記走査電極、前記アドレス電極および前記共通電極の内、２つの電極の組み合わせに印加する駆動電圧の合成電圧の絶対値をほぼ一定値を保つようにして該２つの電極の組み合わせへの印加電圧の割合を変更する印加電圧割合変更手段を備えることを特徴とするフラットディスプレイ装置の駆動方法。
【０１２７】
（付記３７）  付記３３または３５に記載のフラットディスプレイ装置の駆動方法において、
前記走査電極の駆動電圧と駆動時間幅との関係、前記アドレス電極の駆動電圧と駆動時間幅との関係、または、前記共通電極の駆動電圧と駆動時間幅との関係を逆比例の関係で変更するようにしたことを特徴とするフラットディスプレイ装置の駆動方法。
【０１２８】
（付記３８）  付記３３または３５に記載のフラットディスプレイ装置の駆動方法において、
前記走査電極の駆動波形は、該走査電極上の表示画素を選択するための走査パルスと、表示画素を維持するための走査電極側維持パルスと、表示画素を選択するに当り画面を初期化するための走査電極側リセットパルスとを含み、
前記アドレス電極の駆動波形は、該アドレス電極上の表示画素を選択するためのアドレスパルスを含み、
前記駆動負荷量または前記パネルの温度の検出値に基づいて、前記走査パルス、走査電極側維持パルス、走査電極側リセットパルス、アドレスパルス、共通電極側維持パルス、または、共通電極側リセットパルスのいずれかの駆動電圧を変更するようにしたことを特徴とするフラットディスプレイ装置の駆動方法。
【０１２９】
（付記３９）  付記３３〜３８のいずれか１項に記載のフラットディスプレイ装置の駆動方法において、前記フラットディスプレイパネルは、３電極面放電交流駆動型プラズマディスプレイ装置であることを特徴とするフラットディスプレイ装置の駆動方法。
【産業上の利用可能性】
【０１３０】
本発明は、フラットディスプレイ装置に幅広く適用することができるが、特に、パーソナルコンピュータやワークステーション等のディスプレイ装置、平面型の壁掛けテレビジョン、或いは、広告や情報等を表示するための自発光型で大画面化が可能であり、比較的消費電力の大きいプラズマディスプレイ装置を初めとするフラットディスプレイ装置に対して適用することができる。
【図面の簡単な説明】
【０１３１】
【図１】従来のフラットディスプレイ装置の一例としての３電極面放電交流駆動型プラズマディスプレイ装置を示すブロック図である。
【図２】図１に示すプラズマディスプレイ装置におけるパネル（ＰＤＰ）の一例を示す平面図である。
【図３】図１に示すプラズマディスプレイ装置におけるパネルの一例を示す断面図である。
【図４】図１に示すプラズマディスプレイ装置の階調シーケンスの一例を示す図である。
【図５】図１に示すプラズマディスプレイ装置の駆動波形の一例を示す図である。
【図６】従来のプラズマディスプレイ装置におけるパネル温度および表示率と駆動電圧との関係を示す図である。
【図７】本発明に係るフラットディスプレイ装置の一例としての３電極面放電交流駆動型プラズマディスプレイ装置を模式的に示すブロック図である。
【図８】本発明に係るフラットディスプレイ装置の一例としてのプラズマディスプレイ装置におけるパネル温度および表示率と駆動電圧との関係を示す図である。
【図９】本発明に係るフラットディスプレイ装置の第１実施例を説明するための図である。
【図１０】本発明に係るフラットディスプレイ装置の第２実施例を説明するための図である。
【図１１】本発明に係るフラットディスプレイ装置の第３実施例を説明するための図である。
【図１２】本発明に係るフラットディスプレイ装置の第４実施例を説明するための図である。
【図１３】本発明に係るフラットディスプレイ装置の第５実施例を説明するための図である。
【図１４】本発明に係るフラットディスプレイ装置の第６実施例を説明するための図（その１）である。
【図１５】本発明に係るフラットディスプレイ装置の第６実施例を説明するための図（その２）である。
【図１６】本発明に係るフラットディスプレイ装置の第７実施例を説明するための図である。
【図１７】本発明に係るフラットディスプレイ装置の一例としてのプラズマディスプレイ装置におけるパネル温度および表示率と駆動電圧およびパルス幅との関係を示す図である。
【図１８】本発明に係るフラットディスプレイ装置の第８実施例を説明するための図である。
【図１９】本発明に係るフラットディスプレイ装置の第９実施例を説明するための図である。
【図２０】本発明に係るフラットディスプレイ装置の第１０実施例を説明するための図である。
【図２１】本発明に係るフラットディスプレイ装置の第１１実施例を説明するための図である。
【図２２】本発明に係るフラットディスプレイ装置の第１２実施例を説明するための図である。
【図２３】本発明に係るフラットディスプレイ装置の第１３実施例を説明するための図である。
【図２４】本発明に係るフラットディスプレイ装置の第１４実施例を説明するための図である。
【図２５】本発明に係るフラットディスプレイ装置の第１５実施例を説明するための図（その１）である。
【図２６】本発明に係るフラットディスプレイ装置の第１５実施例を説明するための図（その２）である。
【図２７】本発明に係るフラットディスプレイ装置の第１５実施例を説明するための図（その３）である。
【符号の説明】
【０１３２】
１    ＰＤＰ（プラズマディスプレイパネル）
２    制御回路
３    アドレスドライバ
４    走査ドライバ
５    Ｘ共通ドライバ
６    Ｙ共通ドライバ
１１    前面ガラス基板
１２，Ｘ1〜Ｘn    Ｘ電極
１３，Ｙ1〜Ｙn    Ｙ電極
１４，１７    誘電体層
１５    背面ガラス基板
１６，Ａ1〜Ａm    アドレス電極
１８    蛍光体
１９    隔壁
２１    表示データ制御部
２２    パネル駆動制御部
１００    プラズマディスプレイ装置
１０１，３０１，４０１，５０１    温度センサ
２１１    フレームメモリ
２２１    走査ドライバ制御部
２２２    共通ドライバ制御部
３０２，５０２，６０１    電流センサ
ＣＬＫ    ドットクロック
ＤＡＴＡ    表示画像データ
Ｈsync    水平同期信号
Ｖsync    垂直同期信号
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
走査電極と前記走査電極と交差するアドレス電極とを備えるフラットディスプレイパネルと、
前記走査電極に駆動波形を供給する走査ドライバと、
前記アドレス電極に駆動波形を供給するアドレスドライバと、
前記走査電極及びアドレス電極の両方にパルス電圧を印加する場合、前記走査ドライバまたはアドレスドライバの駆動負荷量及び前記フラットディスプレイパネルの温度に応じて、前記アドレス電極または走査電極に異なるパルス電圧値を印加するように前記アドレスドライバまたは走査ドライバを制御する制御回路と、を有するフラットディスプレイ装置。
【請求項２】
走査電極と共通電極と前記走査電極及び共通電極と交差するアドレス電極とを備えるフラットディスプレイパネルと、
前記走査電極に駆動波形を供給する走査ドライバと、
前記共通電極に駆動波形を供給する共通電極ドライバと、
前記アドレス電極に駆動波形を供給するアドレスドライバと、
前記走査ドライバ、共通電極ドライバまたはアドレスドライバの駆動負荷量及び前記フラットディスプレイパネルの温度に応じて、画素の発光を行うサステイン期間において前記走査電極または共通電極に異なる電圧値を印加するように前記走査ドライバまたは共通電極ドライバを制御する制御回路と、を有するフラットディスプレイ装置。
【請求項３】
請求項１に記載のフラットディスプレイ装置であって、前記制御回路は前記走査電極に共通基準電圧を印加し、前記共通基準電圧に重畳して前記走査電極にパルスを印加することを特徴とするフラットディスプレイ装置。
【請求項４】
走査電極と、
前記走査電極と交差するアドレス電極と、
前記走査電極に駆動波形を供給する走査ドライバと、
前記アドレス電極に駆動波形を供給するアドレスドライバと、
前記走査電極及びアドレス電極の両方にパルス電圧を印加して、前記アドレスドライバの前記走査ドライバに対する相対的な駆動負荷量が変化した場合、前記アドレス電極または走査電極に異なる電圧値を印加するように前記走査ドライバ及びアドレスドライバを制御する制御回路と、を有するフラットディスプレイ装置。
【請求項５】
走査電極と、
共通電極と、
前記走査電極及び共通電極と交差するアドレス電極と、
前記走査電極に駆動波形を供給する走査ドライバと、
前記共通電極に駆動波形を供給する共通電極ドライバと、
前記アドレス電極に駆動波形を供給するアドレスドライバと、
前記走査ドライバの前記共通電極ドライバに対する相対的な駆動負荷量が変化した場合は、画素の発光を行うサステイン期間における前記走査電極または共通電極に異なる電圧値を印加するように前記走査ドライバ及び共通電極ドライバを制御する制御回路と、を有するフラットディスプレイ装置。
【請求項６】
請求項１または４に記載のフラットディスプレイ装置であって、前記制御回路は前記走査電極及びアドレス電極に異なる電圧値のパルスの電圧を印加する場合は、前記パルスのパルス幅を異ならせるように前記アドレスドライバまたは走査ドライバを制御することを特徴とするフラットディスプレイ装置。
【請求項７】
請求項６に記載のフラットディスプレイ装置であって、共通電極及び前記共通電極に駆動波形を供給する共通電極ドライバを有し、前記制御回路は前記走査電極及びアドレス電極に印加するパルスの幅を変化させる場合は、画素の発光を行うサステイン期間における前記走査電極及び共通電極に印加するパルスのパルス幅を変化させることを特徴とするフラットディスプレイ装置。
【請求項８】
請求項７に記載のフラットディスプレイ装置であって、前記制御回路は前記サステイン期間における前記走査電極または共通電極に印加するパルスのパルス幅を変化させる場合は、前記パルスの電圧値を異ならせることを特徴とするフラットディスプレイ装置。
【請求項９】
請求項１または４に記載のフラットディスプレイ装置であって、共通電極及び前記共通電極に駆動波形を供給する共通電極ドライバを有し、前記制御回路は前記走査電極及びアドレス電極に印加するパルスの電圧を変化させる場合において、各画素の初期化を行うリセット期間に前記走査電極または共通電極に印加するパルスの電圧値または幅を異ならせることを特徴とするフラットディスプレイ装置。
【請求項１０】
請求項１、２、５、６のいずれかに記載のフラットディスプレイ装置であって、駆動負荷、温度または表示率を検出する検出手段を有することを特徴とするフラットディスプレイ装置。
【請求項１１】
請求項１、２、５、６のいずれかに記載のフラットディスプレイ装置であって、プラズマディスプレイ装置であることを特徴とするフラットディスプレイ装置。
【請求項１２】
走査電極と前記走査電極と交差するアドレス電極とを備えるフラットディスプレイパネルを有するフラットディスプレイ装置の駆動方法であって、
表示画素を選択するアドレス期間において、前記フラットディスプレイパネルのデータ表示率が第１の値で前記フラットディスプレイパネルの温度が第２の値である状態から、前記データ表示率が第１の値よりも大きい第３の値で前記パネル温度が第２の値よりも大きい第４の値である状態に変わった場合、前記アドレス電極または走査電極に印加するパルス電圧を低くすることを特徴とするフラットディスプレイ装置の駆動方法。
【請求項１３】
走査電極と共通電極と前記走査電極及び共通電極と交差するアドレス電極とを備えるフラットディスプレイパネルを有し、
各画素の初期化を行うリセット期間と表示する画素の選択を行うアドレス期間と選択した画素を発光させるサステイン期間とを有するフラットディスプレイ装置の駆動方法であって、
前記フラットディスプレイパネルのデータ表示率が第１の値で前記フラットディスプレイパネルの温度が第２の値である状態から、前記データ表示率が第１の値よりも大きい第３の値で前記パネル温度が第２の値よりも大きい第４の値である状態に変わった場合、前記サステイン期間において前記走査電極または共通電極に印加する電圧を低くすることを特徴とするフラットディスプレイ装置の駆動方法。
【請求項１４】
走査電極と前記走査電極と交差するアドレス電極とを備えるフラットディスプレイパネルと前記走査電極に駆動波形を供給する走査ドライバと前記アドレス電極に駆動波形を供給するアドレスドライバとを有し、前記走査ドライバは前記走査電極に共通基準電圧を印加し、前記共通基準電圧に重畳して走査電圧パルスを出力するフラットディスプレイ装置の駆動方法であって、
前記走査ドライバまたはアドレスドライバの駆動負荷量、前記フラットディスプレイパネルのデータ表示率、前記フラットディスプレイパネルの温度のいずれかが変化した場合、前記共通基準電圧を変えることにより前記走査電極への印加電圧を変えることを特徴とするフラットディスプレイ装置の駆動方法。
【請求項１５】
走査電極と前記走査電極と交差するアドレス電極と前記走査電極に駆動波形を供給する走査ドライバと前記アドレス電極に駆動波形を供給するアドレスドライバとを有するフラットディスプレイ装置の駆動方法であって、
表示画素を選択するアドレス期間において、前記アドレスドライバまたは走査ドライバの駆動負荷量が変化した場合、前記アドレス電極に印加するアドレス電圧を低くする時、前記走査電極に印加する走査電圧を高くすることを特徴とするフラットディスプレイ装置の駆動方法。
【請求項１６】
走査電極と共通電極と前記走査電極及び共通電極と交差するアドレス電極と前記走査電極に駆動波形を供給する走査ドライバと前記共通電極に駆動波形を供給する共通電極ドライバと前記アドレス電極に駆動波形を供給するアドレスドライバとを有し、各画素の初期化を行うリセット期間と表示する画素の選択を行うアドレス期間と選択した画素を発光させるサステイン期間とを有するフラットディスプレイ装置の駆動方法であって、
前記走査ドライバの前記共通電極ドライバに対する相対的な駆動負荷量が変化した場合、前記サステイン期間において、前記走査電極または共通電極に異なる電圧値を印加させることを特徴とするフラットディスプレイ装置の駆動方法。
【請求項１７】
請求項１２または１５に記載のフラットディスプレイ装置の駆動方法であって、前記走査電極及びアドレス電極に異なる電圧値のパルスの電圧を印加する場合は、前記パルスのパルス幅を異ならせることを特徴とするフラットディスプレイ装置の駆動方法。
【請求項１８】
請求項１７に記載のフラットディスプレイ装置の駆動方法であって、前記走査電極及びアドレス電極に印加するパルスの幅を変化させる場合は、画素の発光を行うサステイン期間における前記走査電極及び共通電極に印加するパルスのパルス幅が変化することを特徴とするフラットディスプレイ装置の駆動方法。
【請求項１９】
請求項１８に記載のフラットディスプレイ装置の駆動方法であって、前記サステイン期間における前記走査電極または共通電極に印加するパルスのパルス幅を変化させる場合は、前記パルスの電圧値を異ならせることを特徴とするフラットディスプレイ装置の駆動方法。
【請求項２０】
請求項１２または１５に記載のフラットディスプレイ装置の駆動方法であって、前記フラットディスプレイ装置は共通電極及び前記共通電極に駆動波形を供給する共通電極ドライバを有し、前記走査電極及びアドレス電極に印加するパルスの電圧を変化させる場合において、各画素の初期化を行うリセット期間に前記走査電極または共通電極に印加するパルスの電圧値または幅を異ならせることを特徴とするフラットディスプレイ装置の駆動方法。
【請求項２１】
請求項１２、１３、１５、１６のいずれかに記載のフラットディスプレイ装置の駆動方法であって、前記フラットディスプレイ装置はプラズマディスプレイ装置であることを特徴とするフラットディスプレイ装置の駆動方法。
【国際調査報告】
2006013658.tif 000029
2006013658.tif 000030
2006013658.tif 000031
2006013658.tif 000032
2006013658.tif 000033
2006013658.tif 000034
2006013658.tif 000035
2006013658.tif 000036
2006013658.tif 000037
2006013658.tif 000038
2006013658.tif 000039
2006013658.tif 000040